(57)【要約】  複数の無線リソースから選択される処理対象の無線リソースを効率的に通信相手に通知できるようにする。  無線通信装置（１）は、無線リソース（３ａ）で、無線リソース（３ｂ，３ｃ，３ｄ）の何れかに対する処理に用いる信号＃１と誤り検出に用いる信号＃２とから生成される信号＃３を送信する。無線通信装置（２）は、信号＃３に基づいて無線リソース（３ｂ，３ｃ，３ｄ）のうち対象リソースを検出し、対象リソースに対して信号＃１を用いた処理を行う。対象リソースを識別する方法には、信号＃３を対象リソースに応じた区間だけスクランブル処理する、対象リソースに応じたスクランブル系列を用いてスクランブル処理する、対象リソースに応じた入れ替え方法でビット順序を入れ替える、という方法が含まれる。
2011039862.tif 000002
【特許請求の範囲】
【請求項１】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含み、一部区間の信号をスクランブル処理した第３の信号を生成する信号生成部と、
生成された前記第３の信号を前記第１の無線リソースで送信する送信部と、を有し、
前記信号生成部は、前記複数の第２の無線リソースに対応する互いに異なる複数の区間のうち、前記第１の信号を用いた処理の対象の第２の無線リソースに対応する区間を選択し、選択した区間の信号に対して前記スクランブル処理を行う、
ことを特徴とする無線通信装置。
【請求項２】
前記複数の第２の無線リソースは、互いに異なる周波数帯に属する無線リソースであることを特徴とする請求の範囲第１項記載の無線通信装置。
【請求項３】
前記複数の第２の無線リソースは、前記第１の信号を用いた処理の対象チャネルの先頭にある無線リソースであることを特徴とする請求の範囲第１項記載の無線通信装置。
【請求項４】
前記信号生成部は、前記スクランブル処理の後、前記第３の信号を誤り訂正符号化し、
前記送信部は、誤り訂正符号化された前記第３の信号を送信する、
ことを特徴する請求の範囲第１乃至３項の何れか一項に記載の無線通信装置。
【請求項５】
前記信号生成部は、前記第２の信号を前記スクランブル処理の対象から除外することを特徴とする請求の範囲第１乃至４項の何れか一項に記載の無線通信装置。
【請求項６】
前記信号生成部は、前記第３の信号の送信先である前記他の無線通信装置に応じて選択されるスクランブル系列を用いて、前記第２の信号に対して他のスクランブル処理を行うことを特徴とする請求の範囲第１乃至５項の何れか一項に記載の無線通信装置。
【請求項７】
前記複数の第２の無線リソースは、データ送信に使用可能な無線リソースであり、
前記送信部は、前記複数の第２の無線リソースのうち、前記スクランブル処理が行われた区間に対応する第２の無線リソースで、前記他の無線通信装置宛てデータを送信する、
ことを特徴とする請求の範囲第１乃至６項の何れか一項に記載の無線通信装置。
【請求項８】
前記複数の第２の無線リソースは、データ受信に使用可能な無線リソースであり、
前記第２の無線リソースのうち、前記スクランブル処理が行われた区間に対応する第２の無線リソースで、前記他の無線通信装置からデータを受信する受信部を更に有する、
ことを特徴とする請求の範囲第１乃至６項の何れか一項に記載の無線通信装置。
【請求項９】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含み、少なくとも前記第１の信号の一部をスクランブル処理した第３の信号を生成する信号生成部と、
生成された前記第３の信号を前記第１の無線リソースで送信する送信部と、を有し、
前記信号生成部は、前記複数の第２の無線リソースに対応する互いに異なる複数のスクランブル系列のうち、前記第１の信号を用いた処理の対象の第２の無線リソースに対応するスクランブル系列を用いて、前記スクランブル処理を行う、
ことを特徴とする無線通信装置。
【請求項１０】
前記複数のスクランブル系列は、所定のスクランブル系列を互いに異なるビット数だけ巡回シフトすることで得られたスクランブル系列であることを特徴とする請求の範囲第９項記載の無線通信装置。
【請求項１１】
前記信号生成部は、前記第３の信号の送信先である前記他の無線通信装置に応じて選択される他のスクランブル系列を用いて、前記第２の信号に対して他のスクランブル処理を行うことを特徴とする請求の範囲第９または１０項記載の無線通信装置。
【請求項１２】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含む信号列の少なくとも一部区間内でビット順序を入れ替えた第３の信号を生成する信号生成部と、
生成された前記第３の信号を前記第１の無線リソースで送信する送信部と、を有し、
前記信号生成部は、前記複数の第２の無線リソースに対応する互いに異なる複数の入れ替え方法のうち、前記第１の信号を用いた処理の対象の第２の無線リソースに対応する入れ替え方法に従って、前記ビット順序を入れ替える、
ことを特徴とする無線通信装置。
【請求項１３】
前記複数の入れ替え方法は、互いに異なるビット数だけ巡回シフトする方法であり、
前記信号生成部は、前記第１の信号および前記第２の信号の少なくとも一方を、前記処理の対象の第２の無線リソースに対応するビット数だけ巡回シフトする、
ことを特徴とする請求の範囲第１２項記載の無線通信装置。
【請求項１４】
前記複数の入れ替え方法は、前記第１の信号内の互いに異なる位置に前記第２の信号を挿入する方法であり、
前記信号生成部は、前記処理の対象の第２の無線リソースに対応する、前記第１の信号内の位置に、前記第２の信号を挿入する、
ことを特徴とする請求の範囲第１２項記載の無線通信装置。
【請求項１５】
他の無線通信装置から、第１の無線リソースで、複数の第２の無線リソースの何れかに対する処理に用いる第１の信号と前記第１の信号の誤り検出に用いる第２の信号とが含まれ、一部区間の信号がスクランブル処理されている第３の信号を受信する受信部と、
前記複数の第２の無線リソースに対応する互いに異なる複数の区間それぞれについて、受信した前記第３の信号をデスクランブル処理し、前記デスクランブル処理後の前記誤り検出の結果が所定の条件を満たした区間に対応する第２の無線リソースを、前記第１の信号を用いた処理の対象として検出する検出部と、
を有することを特徴とする無線通信装置。
【請求項１６】
他の無線通信装置から、第１の無線リソースで、複数の第２の無線リソースの何れかに対する処理に用いる第１の信号と前記第１の信号の誤り検出に用いる第２の信号とが含まれ、少なくとも前記第１の信号の一部がスクランブル処理されている第３の信号を受信する受信部と、
前記複数の第２の無線リソースに対応する互いに異なる複数のスクランブル系列それぞれを用いて、受信した前記第３の信号をデスクランブル処理し、前記デスクランブル処理後の前記誤り検出の結果が所定の条件を満たしたスクランブル系列に対応する第２の無線リソースを、前記第１の信号を用いた処理の対象として検出する検出部と、
を有することを特徴とする無線通信装置。
【請求項１７】
他の無線通信装置から、第１の無線リソースで、複数の第２の無線リソースの何れかに対する処理に用いる第１の信号と前記第１の信号の誤り検出に用いる第２の信号とが含まれる信号列の、少なくとも一部区間内でビット順序が入れ替えられている第３の信号を受信する受信部と、
前記複数の第２の無線リソースに対応する互いに異なる複数の並べ替え方法それぞれに従って、受信した前記第３の信号のビット順序を並べ替え、並べ替え後の前記誤り検出の結果が所定の条件を満たした並べ替え方法に対応する第２の無線リソースを、前記第１の信号を用いた処理の対象として検出する検出部と、
を有することを特徴とする無線通信装置。
【請求項１８】
第１の無線リソースと複数の第２の無線リソースとを用いて、第１の無線通信装置と第２の無線通信装置との間で行う無線通信方法であって、
前記複数の第２の無線リソースの何れかに対する処理に用いられる第１の信号と前記第１の信号の誤り検出に用いられる第２の信号とを生成し、
前記第１の信号と前記第２の信号とを含み、前記複数の第２の無線リソースに対応する互いに異なる複数の区間のうち前記第１の信号を用いた処理の対象の第２の無線リソースに対応する区間の信号をスクランブル処理した、第３の信号を生成し、
前記第３の信号を前記第１の無線リソースで送信し、
前記複数の区間それぞれについて、受信した前記第３の信号をデスクランブル処理し、前記デスクランブル処理後の前記誤り検出の結果が所定の条件を満たした区間に対応する第２の無線リソースを検出し、
検出した第２の無線リソースに対して、前記第１の信号を用いた処理を行う、
ことを特徴とする無線通信方法。
【請求項１９】
第１の無線リソースと複数の第２の無線リソースとを用いて、第１の無線通信装置と第２の無線通信装置との間で行う無線通信方法であって、
前記複数の第２の無線リソースの何れかに対する処理に用いられる第１の信号と前記第１の信号の誤り検出に用いられる第２の信号とを生成し、
前記第１の信号と前記第２の信号とを含み、少なくとも前記第１の信号の一部を、前記複数の第２の無線リソースに対応する互いに異なる複数のスクランブル系列のうち前記第１の信号を用いた処理の対象の第２の無線リソースに対応するスクランブル系列を用いてスクランブル処理した、第３の信号を生成し、
前記第３の信号を前記第１の無線リソースで送信し、
前記複数のスクランブル系列それぞれを用いて、受信した前記第３の信号をデスクランブル処理し、前記デスクランブル処理後の前記誤り検出の結果が所定の条件を満たすスクランブル系列に対応する第２の無線リソースを検出し、
検出した第２の無線リソースに対して、前記第１の信号を用いた処理を行う、
ことを特徴とする無線通信方法。
【請求項２０】
第１の無線リソースと複数の第２の無線リソースとを用いて、第１の無線通信装置と第２の無線通信装置との間で行う無線通信方法であって、
前記複数の第２の無線リソースの何れかに対する処理に用いられる第１の信号と前記第１の信号の誤り検出に用いられる第２の信号とを生成し、
前記第１の信号と前記第２の信号とを含み、少なくとも一部区間内の信号のビット順序を、前記複数の第２の無線リソースに対応する互いに異なる複数の入れ替え方法のうち前記第１の信号を用いた処理の対象の第２の無線リソースに対応する入れ替え方法に従って入れ替えた、第３の信号を生成し、
前記第３の信号を前記第１の無線リソースで送信し、
前記複数の入れ替え方法に対応する複数の並べ替え方法それぞれに従って、受信した前記第３の信号のビット順序を並べ替え、並べ替え後の前記誤り検出の結果が所定の条件を満たす並べ替え方法に対応する第２の無線リソースを検出し、
検出した第２の無線リソースに対して、前記第１の信号を用いた処理を行う、
ことを特徴とする無線通信方法。
【発明の詳細な説明】
【技術分野】
【０００１】
本発明は無線通信装置および無線通信方法に関する。
【背景技術】
【０００２】
現在、携帯電話システムや無線ＬＡＮ（Local Area Network）などの無線通信システムが広く利用されている。無線通信技術については、通信速度・通信品質を更に向上させるべく、次世代技術の議論が活発に行われている。このような無線通信技術には、２つの無線通信装置の間（例えば、無線基地局と移動局との間）で、複数のキャリアを用いて通信できるものがある。複数のキャリアを用いることをキャリアアグリゲーション、その場合の各キャリアをコンポーネントキャリアと呼ぶことがある。【０００３】
無線通信では、一方の無線通信装置が他方の無線通信装置に、制御信号を送信することがある。制御信号として伝達される情報には、自装置が送信したデータを相手装置が受信するために参照される情報（例えば、データ送信に使用したフォーマットを示す情報）が含まれ得る。また、相手装置がデータを送信する際の送信方法を指定する情報（例えば、データ送信に使用すべきフォーマットを指定した情報）も含まれ得る。例えば、無線基地局から移動局に伝達される情報には、移動局が下りデータチャネルを受信する際に参照される情報や、移動局が上りデータチャネルを送信する際に参照される情報が含まれ得る。【０００４】
ここで、２つの無線通信装置の間で複数のキャリアを用いて無線通信を行う場合、制御信号の送信に用いられる無線リソースと、その制御信号の適用対象となるデータ送受信に用いられる無線リソースとが、異なるキャリアに属する場合も考えられる。その場合は、制御信号が何れのキャリアに適用される信号であるかを識別する方法が問題となる。【０００５】
識別方法の１つとして、制御信号にキャリア識別用のビット（キャリアインジケータ）を付加し、適用対象のキャリアを明示する方法が提案されている（例えば、非特許文献１の第１５．４節参照）。また、制御信号に付加するＣＲＣ（Cyclic Redundancy Check）ビットを、通信相手の移動局に割り当てたＩＤ（IDentifier）に応じたスクランブル系列でスクランブル処理する無線基地局に適用される識別方法が提案されている（例えば、非特許文献２参照）。この方法では、各移動局にキャリアの数だけＩＤを割り当て、何れかのＩＤに応じたスクランブル系列でＣＲＣビットをスクランブル処理することで、ＣＲＣから移動局と適用対象のキャリアとを同時に識別できる。
【先行技術文献】
【非特許文献】
【０００６】
【非特許文献１】3GPP (3rd Generation Partnership Project), "Final Report of 3GPP TSG-RAN WG1 #57 v1.0.0", TSG RAN WG1 #57bis, R1-092292, July 2009.
【非特許文献２】3GPP (3rd Generation Partnership Project), "Control signaling for carrier aggregation", TSG-RAN WG1 #55bis, R1-090375, Jan. 2009.
【発明の概要】
【発明が解決しようとする課題】
【０００７】
しかし、非特許文献１に記載の方法では、キャリアインジケータを制御信号に付加するため無線リソースが余分に消費され、制御信号の伝送効率が低下するという問題がある。また、非特許文献２に記載の方法では、通信相手毎にキャリアの数だけＩＤを割り当てるため、ＩＤの枯渇が問題となる。ＩＤのビット列の長さが固定の場合、並列に通信可能な通信相手の数の上限が小さくなってしまう。例えば、５つのキャリアを使用可能な場合、１つのキャリアのみを用いる場合と比べて、通信相手数の上限が１／５になり得る。【０００８】
また、上記制御信号とデータチャネルとの境界を示す情報を別の制御信号で通知する場合がある。この場合、上記別の制御信号を正しく受信できなかった場合に、制御信号とデータチャネルとの境界を正しく検出できなかったためにデータチャネルを正しく受信できないという問題がある。【０００９】
１つの側面では、本発明は、複数の無線リソースから選択される処理対象の無線リソースを効率的に通信相手に通知することができる無線通信装置および無線通信方法を提供することを目的とする。
【課題を解決するための手段】
【００１０】
第１の側面として、第１の無線リソースで、複数の第２の無線リソースの何れかに対して他の無線通信装置が行う処理に用いられる信号を送信する無線通信装置が提供される。この無線通信装置は、信号生成部と送信部とを有する。信号生成部は、他の無線通信装置が行う処理に用いられる第１の信号と第１の信号の誤り検出に用いられる第２の信号とを生成し、第１の信号と第２の信号とを含み、一部区間の信号をスクランブル処理した第３の信号を生成する。スクランブル処理では、複数の第２の無線リソースに対応する互いに異なる複数の区間のうち、第１の信号を用いた処理の対象の第２の無線リソースに対応する区間を選択し、選択した区間の信号に対してスクランブル処理を行う。送信部は、生成された第３の信号を第１の無線リソースで送信する。【００１１】
第２の側面として、第１の無線リソースで、複数の第２の無線リソースの何れかに対して他の無線通信装置が行う処理に用いられる信号を送信する無線通信装置が提供される。この無線通信装置は、信号生成部と送信部とを有する。信号生成部は、他の無線通信装置が行う処理に用いられる第１の信号と第１の信号の誤り検出に用いられる第２の信号とを生成し、第１の信号と第２の信号とを含み、少なくとも第１の信号の一部をスクランブル処理した第３の信号を生成する。スクランブル処理では、複数の第２の無線リソースに対応する互いに異なる複数のスクランブル系列のうち、第１の信号を用いた処理の対象の第２の無線リソースに対応するスクランブル系列を用いる。送信部は、生成された第３の信号を第１の無線リソースで送信する。【００１２】
第３の側面として、第１の無線リソースで、複数の第２の無線リソースの何れかに対して他の無線通信装置が行う処理に用いられる信号を送信する無線通信装置が提供される。この無線通信装置は、信号生成部と送信部とを有する。信号生成部は、他の無線通信装置が行う処理に用いられる第１の信号と第１の信号の誤り検出に用いられる第２の信号とを生成し、第１の信号と第２の信号とを含む信号列の少なくとも一部区間内でビット順序を入れ替えた第３の信号を生成する。ビット順序の入れ替えでは、複数の第２の無線リソースに対応する互いに異なる複数の入れ替え方法のうち、第１の信号を用いた処理の対象の第２の無線リソースに対応する入れ替え方法に従う。送信部は、生成された第３の信号を第１の無線リソースで送信する。【００１３】
第４の側面として、受信部と検出部とを有する無線通信装置が提供される。受信部は、他の無線通信装置から、第１の無線リソースで、複数の第２の無線リソースの何れかに対する処理に用いる第１の信号と第１の信号の誤り検出に用いる第２の信号とが含まれ、一部区間の信号がスクランブル処理されている第３の信号を受信する。検出部は、複数の第２の無線リソースに対応する互いに異なる複数の区間それぞれについて、受信した第３の信号をデスクランブル処理し、デスクランブル処理後の誤り検出の結果が所定の条件を満たした区間に対応する第２の無線リソースを、第１の信号を用いた処理の対象として検出する。【００１４】
第５の側面として、受信部と検出部とを有する無線通信装置が提供される。受信部は、他の無線通信装置から、第１の無線リソースで、複数の第２の無線リソースの何れかに対する処理に用いる第１の信号と第１の信号の誤り検出に用いる第２の信号とが含まれ、少なくとも第１の信号の一部がスクランブル処理されている第３の信号を受信する。検出部は、複数の第２の無線リソースに対応する互いに異なる複数のスクランブル系列それぞれを用いて、受信した第３の信号をデスクランブル処理し、デスクランブル処理後の誤り検出の結果が所定の条件を満たしたスクランブル系列に対応する第２の無線リソースを、第１の信号を用いた処理の対象として検出する。【００１５】
第６の側面として、受信部と検出部とを有する無線通信装置が提供される。受信部は、他の無線通信装置から、第１の無線リソースで、複数の第２の無線リソースの何れかに対する処理に用いる第１の信号と第１の信号の誤り検出に用いる第２の信号とが含まれる信号列の、少なくとも一部区間内でビット順序が入れ替えられている第３の信号を受信する。検出部は、複数の第２の無線リソースに対応する互いに異なる複数の並べ替え方法それぞれに従って、受信した第３の信号のビット順序を並べ替え、並べ替え後の誤り検出の結果が所定の条件を満たした並べ替え方法に対応する第２の無線リソースを、第１の信号を用いた処理の対象として検出する。【００１６】
第７の側面として、第１の無線リソースと複数の第２の無線リソースとを用いて、第１の無線通信装置と第２の無線通信装置との間で行う無線通信方法が提供される。この無線通信方法では、複数の第２の無線リソースの何れかに対する処理に用いられる第１の信号と第１の信号の誤り検出に用いられる第２の信号とを生成する。第１の信号と第２の信号とを含み、複数の第２の無線リソースに対応する互いに異なる複数の区間のうち第１の信号を用いた処理の対象の第２の無線リソースに対応する区間の信号をスクランブル処理した、第３の信号を生成する。第３の信号を第１の無線リソースで送信する。複数の区間それぞれについて、受信した第３の信号をデスクランブル処理し、デスクランブル処理後の誤り検出の結果が所定の条件を満たした区間に対応する第２の無線リソースを検出する。検出した第２の無線リソースに対して、第１の信号を用いた処理を行う。【００１７】
第８の側面として、第１の無線リソースと複数の第２の無線リソースとを用いて、第１の無線通信装置と第２の無線通信装置との間で行う無線通信方法が提供される。この無線通信方法では、複数の第２の無線リソースの何れかに対する処理に用いられる第１の信号と第１の信号の誤り検出に用いられる第２の信号とを生成する。第１の信号と第２の信号とを含み、少なくとも第１の信号の一部を、複数の第２の無線リソースに対応する互いに異なる複数のスクランブル系列のうち第１の信号を用いた処理の対象の第２の無線リソースに対応するスクランブル系列を用いてスクランブル処理した、第３の信号を生成する。第３の信号を第１の無線リソースで送信する。複数のスクランブル系列それぞれを用いて、受信した第３の信号をデスクランブル処理し、デスクランブル処理後の誤り検出の結果が所定の条件を満たすスクランブル系列に対応する第２の無線リソースを検出する。検出した第２の無線リソースに対して、第１の信号を用いた処理を行う。【００１８】
第９の側面として、第１の無線リソースと複数の第２の無線リソースとを用いて、第１の無線通信装置と第２の無線通信装置との間で行う無線通信方法が提供される。この無線通信方法では、複数の第２の無線リソースの何れかに対する処理に用いられる第１の信号と第１の信号の誤り検出に用いられる第２の信号とを生成する。第１の信号と第２の信号とを含み、少なくとも一部区間内の信号のビット順序を、複数の第２の無線リソースに対応する互いに異なる複数の入れ替え方法のうち第１の信号を用いた処理の対象の第２の無線リソースに対応する入れ替え方法に従って入れ替えた、第３の信号を生成する。第３の信号を第１の無線リソースで送信する。複数の入れ替え方法に対応する複数の並べ替え方法それぞれに従って、受信した第３の信号のビット順序を並べ替え、並べ替え後の誤り検出の結果が所定の条件を満たす並べ替え方法に対応する第２の無線リソースを検出する。検出した第２の無線リソースに対して、第１の信号を用いた処理を行う。
【発明の効果】
【００１９】
上記無線通信装置および無線通信方法によれば、複数の無線リソースから選択される処理対象の無線リソースを効率的に通信相手に通知することができる。
本発明の上記および他の目的、特徴および利点は本発明の例として好ましい実施の形態を表す添付の図面と関連した以下の説明により明らかになるであろう。
【図面の簡単な説明】
【００２０】
【図１】第１の実施の形態の無線通信システムを示す図である。
【図２】第２の実施の形態の移動通信システムを示す図である。
【図３】第２の実施の形態のコンポーネントキャリアの設定例を示す図である。
【図４】第２の実施の形態の無線フレームの構造例を示す図である。
【図５】第２の実施の形態のＰＤＳＣＨとＰＵＳＣＨの割り当て例を示す図である。
【図６】第２の実施の形態の無線基地局を示すブロック図である。
【図７】第２の実施の形態のＰＤＣＣＨ生成部の詳細を示すブロック図である。
【図８】第２の実施の形態の移動局を示すブロック図である。
【図９】第２の実施の形態の制御信号復号部の詳細を示す図である。
【図１０】第２の実施の形態の送信処理を示すフローチャートである。
【図１１】第２の実施の形態の受信処理を示すフローチャートである。
【図１２】第２の実施の形態の制御信号の第１の例を示す図である。
【図１３】第２の実施の形態の制御信号の第２の例を示す図である。
【図１４】第２の実施の形態の制御信号の第３の例を示す図である。
【図１５】第３の実施の形態のＰＤＳＣＨの割り当て例を示す図である。
【図１６】第３の実施の形態の送信処理を示すフローチャートである。
【図１７】第３の実施の形態の受信処理を示すフローチャートである。
【図１８】第４の実施の形態の送信処理を示すフローチャートである。
【図１９】第４の実施の形態の受信処理を示すフローチャートである。
【図２０】第４の実施の形態の制御信号の例を示す図である。
【図２１】第５の実施の形態のＰＤＣＣＨ生成部の詳細を示す図である。
【図２２】第５の実施の形態の制御信号復号部の詳細を示す図である。
【図２３】第５の実施の形態の制御信号の例を示す図である。
【図２４】第５の実施の形態の制御信号の変形例を示す図である。
【図２５】第６の実施の形態のＰＤＣＣＨ生成部の詳細を示す図である。
【図２６】第６の実施の形態の制御信号復号部の詳細を示す図である。
【図２７】第６の実施の形態の制御信号の第１の例を示す図である。
【図２８】第６の実施の形態の制御信号の第２の例を示す図である。
【図２９】第６の実施の形態の制御信号の変形例を示す図である。
【図３０】第７の実施の形態のＰＤＣＣＨ生成部の詳細を示す図である。
【図３１】第７の実施の形態の制御信号復号部の詳細を示す図である。
【図３２】第７の実施の形態の制御信号の第１の例を示す図である。
【図３３】第７の実施の形態の制御信号の第２の例を示す図である。
【図３４】第８の実施の形態のＰＤＣＣＨ生成部の詳細を示す図である。
【図３５】第８の実施の形態の制御信号復号部の詳細を示す図である。
【図３６】第８の実施の形態の制御信号の例を示す図である。
【図３７】第８の実施の形態の制御信号の変形例を示す図である。
【発明を実施するための形態】
【００２１】
以下、本実施の形態を図面を参照して詳細に説明する。
［第１の実施の形態］
図１は、第１の実施の形態の無線通信システムを示す図である。この無線通信システムは、無線通信装置１，２を含む。無線通信装置１，２は、無線リソース３ａ（第１の無線リソース）と無線リソース３ｂ，３ｃ，３ｄ（複数の第２の無線リソース）とを用いて、無線通信を行う。移動通信システムとして実現する場合、例えば、無線通信装置１として無線基地局を使用し、無線通信装置２として移動局を使用することが考えられる。無線リソース３ｂ，３ｃ，３ｄは、互いに異なるキャリア内の無線リソースである場合や、同一キャリア内の互いに異なるタイミングの無線リソースである場合などが考えられる。
【００２２】
無線通信装置１は、信号生成部１ａと送信部１ｂとを有する。信号生成部１ａは、無線通信装置２が行う処理に用いられる信号＃１（第１の信号）と信号＃１の誤り検出に用いられる信号＃２（第２の信号）とを生成する。信号＃２は、例えば、ＣＲＣ信号である。そして、信号＃１，＃２に基づいて信号＃３（第３の信号）を生成する。送信部１ｂは、信号生成部１ａで生成された信号＃３を、無線リソース３ａで送信する。
【００２３】
ここで、信号＃３は、信号＃１，＃２を含む信号列に変換処理を施したものである。信号生成部１ａは、無線リソース３ｂ，３ｃ，３ｄに対応する互いに異なる複数の変換方法から、信号＃１の適用対象の無線リソースに対応する変換方法を選択する。変換方法の種類として、（１）スクランブル処理の区間を可変とし、信号＃１，＃２を含む信号列の一部区間をスクランブル処理する方法、（２）スクランブル系列を可変とし、少なくとも信号＃１の一部をスクランブル処理する方法、（３）信号＃１，＃２とを含む信号列の少なくとも一部区間内でビット順序を入れ替える方法が考えられる。
【００２４】
方法（１）の場合、信号生成部１ａは、互いに異なる複数のスクランブル処理の区間と無線リソース３ｂ，３ｃ，３ｄとを対応付けておく。区間が異なるとは、区間が完全同一でなければよく、ある無線リソースに対応する区間と他の無線リソースに対応する区間との間に重複があってもよい。そして、信号生成部１ａは、複数の区間のうち信号＃１の適用対象の無線リソースに対応する区間を選択し、選択した区間の信号に対してスクランブル処理を行う。例えば、選択した区間の信号とスクランブル系列との間で、ビット単位で排他的論理和の演算を行う。スクランブル処理に用いるスクランブル系列は、所定の固定のビット列でもよいし、通信状況などに応じて決まる可変のビット列でもよい。
【００２５】
方法（２）の場合、信号生成部１ａは、互いに異なる複数のスクランブル系列と無線リソース３ｂ，３ｃ，３ｄとを対応付けておく。そして、複数のスクランブル系列のうち信号＃１の適用対象の無線リソースに対応するスクランブル系列を選択し、選択した系列を用いてスクランブル処理を行う。スクランブル処理の区間は、信号＃１の全部でもよいし一部区間でもよい。後者の場合、一部区間は所定の固定の区間でもよいし、通信状況などに応じて決まる可変の区間でもよい。また、複数のスクランブル系列は、所定のスクランブル系列を互いに異なるビット数だけ巡回シフト（サイクリックシフト）して得られるものでもよい。
【００２６】
方法（３）の場合、信号生成部１ａは、互いに異なる複数の入れ替え方法と無線リソース３ｂ，３ｃ，３ｄとを対応付けておく。そして、複数の入れ替え方法のうち信号＃１の適用対象の無線リソースに対応する入れ替え方法に従って、ビット順序を入れ替える。例えば、入れ替え方法の種類として、信号＃１の全部または一部区間を適用対象の無線リソースに応じたビット数だけ巡回シフトする方法が考えられる。また、信号＃２の全部または一部区間を巡回シフトする方法も考えられる。また、信号＃１内の適用対象の無線リソースに応じた位置に信号＃２を挿入する方法も考えられる。
【００２７】
無線通信装置２は、受信部２ａと検出部２ｂとを有する。受信部２ａは、無線通信装置１から、無線リソース３ａで信号＃３を受信する。検出部２ｂは、受信部２ａで受信された信号＃３に対して、無線リソース３ｂ，３ｃ，３ｄに対応する互いに異なる複数の変換方法それぞれで変換処理を試みる。この変換処理は、無線通信装置１で行われた変換処理の逆処理に相当するものである。そして、変換後の信号それぞれに対して誤り検出をし、誤り検出の結果が所定の条件を満たした変換方法を特定する。特定した変換方法に対応する無線リソースが、信号＃１の適用対象として検出される。
【００２８】
ここで、検出部２ｂは、複数の変換方法として、無線通信装置１が採用する複数の変換方法に対応するものを採用する。すなわち、方法（１）の場合、検出部２ｂは、複数の区間それぞれについて、信号＃３のデスクランブル処理および誤り検出を行う。例えば、スクランブル処理に用いたスクランブル系列と同じ系列を用いて、ビット毎に排他的論理和の演算を行う。方法（２）の場合、検出部２ｂは、複数のスクランブル系列それぞれを用いて、信号＃３のデスクランブル処理および誤り検出を行う。方法（３）の場合、検出部２ｂは、複数の並べ替え方法それぞれに従って、信号＃３のビット順序の並べ替えおよび誤り検出を行う。これにより、複数の変換方法のうち無線通信装置１が選択した変換方法を推定することができる。
【００２９】
なお、誤り検出は、デスクランブルやビット順序の並べ替えなどの変換処理を施した後の信号＃３から、信号＃１，＃２相当の信号を抽出し、信号＃１相当の信号から算出されるパリティと信号＃２相当の信号とを比較することで、実現できる。誤り検出に成功したか否かの判定条件としては、例えば、誤り無しであることや誤りビット数が閾値以下であることなどが考えられる。
【００３０】
また、検出部２ｂは、複数の変換方法を並列に実行してもよいし逐次実行してもよい。すなわち、検出部２ｂは、受信した信号＃３を変換方法の候補の数に応じて複製し、複数の変換方法についての変換処理および誤り検出処理を並列に実行することが考えられる。また、複数の変換方法の１つについて変換処理および誤り検出処理を行い、誤り検出の結果が所定の条件を満たさない場合に、次の変換方法を試すようにしてもよい。
【００３１】
また、信号＃１として伝達される制御情報には、無線通信装置２が無線通信装置１からデータを受信する際に参照される情報や、無線通信装置２が無線通信装置１にデータを送信する際に参照される情報が含まれる。前者の場合、無線通信装置２は、無線リソース３ｂ，３ｃ，３ｄのうち検出された無線リソースでデータ信号を受信し、信号＃１を参照してデータを抽出する。後者の場合、信号＃１を参照してデータ信号を生成し、無線リソース３ｂ，３ｃ，３ｄのうち検出された無線リソースを用いて、データ信号を送信する。
【００３２】
このような第１の実施の形態の無線通信システムによれば、無線通信装置１により、複数の無線リソース３ｂ，３ｃ，３ｄ（第２の無線リソース）の何れかに対する処理に用いられる信号＃１と、信号＃１の誤り検出に用いられる信号＃２とが生成される。そして、無線リソース３ｂ，３ｃ，３ｄに対応する複数の変換方法の中から信号＃１の適用対象の無線リソースに対応する変換方法が選択され、選択された変換方法が適用されることで信号＃３が生成される。信号＃３には、信号＃１，＃２に相当する内容が含まれる。信号＃３は、無線リソース３ａ（第１の無線リソース）で送信される。
【００３３】
一方、無線通信装置２により、複数の変換方法について、受信された信号＃３の変換処理（無線通信装置１が行う変換処理の逆処理）が試みられる。そして、変換処理後に信号＃１，＃２相当の信号が抽出されて誤り検出が行われ、誤り検出の結果から無線通信装置１が採用した変換方法が推定される。無線リソース３ｂ，３ｃ，３ｄのうち推定された変換方法に対応する無線リソースが、信号＃１の適用対象として検出される。その後、検出された無線リソースに対する処理（例えば、データ受信またはデータ送信）が行われる。
【００３４】
これにより、信号＃１の適用対象の無線リソースを、無線通信装置１から無線通信装置２に効率的に通知することができる。すなわち、前述の非特許文献１の方法と比べ、信号＃１に無線リソース３ｂ，３ｃ，３ｄを識別するためのビットを付加しなくてよいため、無線リソース３ａの消費量を抑制することができる。また、前述の非特許文献２の方法と比べ、信号＃２に対するスクランブル処理のみで通信相手と無線リソースの両方を識別しなくてもよく、用意すべきスクランブル系列の数の増大を抑制できる。従って、スクランブル系列を識別するためのＩＤの枯渇を抑制できる。
【００３５】
なお、第１の実施の形態の無線通信システムは、ＬＴＥ−Ａ（Long Term Evolution - Advanced）システムなどの移動通信システムとして実現することができる。その場合、前述の通り、無線通信装置１として無線基地局を用い、無線通信装置２として移動局を用いることが考えられる。以降の実施の形態では、無線通信装置１，２の間の通信方法を、無線基地局と移動局との間の通信に適用した場合について説明する。ただし、第１の実施の形態の通信方法は、固定無線通信など移動通信以外の無線通信にも適用可能である。
【００３６】
［第２の実施の形態］
図２は、第２の実施の形態の移動通信システムを示す図である。第２の実施の形態に係る移動通信システムは、無線基地局１００および移動局２００，２００ａを備える。
【００３７】
無線基地局１００は、自局セル内の移動局と無線通信を行う無線通信装置である。無線基地局１００は、複数の移動局と並列に無線通信が可能である。移動局２００，２００ａは、無線基地局１００に接続して無線通信を行う移動無線端末装置である。移動局２００，２００ａとしては、例えば、携帯電話機や携帯情報端末などが挙げられる。
【００３８】
無線基地局１００と移動局２００，２００ａとは双方向通信が可能である。すなわち、無線基地局１００から移動局２００，２００ａへの方向のデータ送信（下りリンク通信）と、移動局２００，２００ａから無線基地局１００への方向のデータ送信（上りリンク通信）とが可能である。また、無線基地局１００と移動局２００，２００ａは、下りリンクおよび上りリンクそれぞれで、複数のコンポーネントキャリアを用いた通信（キャリアアグリゲーション）を行う。
【００３９】
無線基地局１００は、下りリンク通信および上りリンク通信についてスケジューリングなどの制御を行う。無線基地局１００から移動局２００に対して適宜、制御情報が送信される。なお、無線基地局１００は前述の無線通信装置１の一例、移動局２００，２００ａは前述の無線通信装置２の一例と考えることができる。
【００４０】
図３は、第２の実施の形態のコンポーネントキャリアの設定例を示す図である。第２の実施の形態に係る移動通信システムでは、上りリンク（ＵＬ）および下りリンク（ＤＬ）それぞれについて、最大で５つのコンポーネントキャリア（ＣＣ）を用いてデータ送信を行うことができる。各コンポーネントキャリアには、所定の帯域幅（例えば、２０ＭＨｚ）の周波数帯が割り当てられる。
【００４１】
無線基地局１００は、下りリンクの５つのコンポーネントキャリア（ＣＣ＃１〜＃５）のうちの１つまたは複数のコンポーネントキャリア内の無線リソースを用いて、データを送信できる。また、移動局２００，２００ａは、上りリンクの５つのコンポーネントキャリア（ＣＣ＃１〜＃５）のうちの１つまたは複数のコンポーネントキャリア内の無線リソースを用いて、データを送信できる。
【００４２】
なお、図３の例では、上りリンクと下りリンクそれぞれで、５つのコンポーネントキャリアを連続した周波数帯に割り当てているが、不連続の周波数帯に割り当ててもよい。また、上りリンクと下りリンクのコンポーネントキャリア数は、任意の数に設定することが可能である。上りリンクと下りリンクとでコンポーネントキャリア数が異なってもよい。例えば、下りリンクに５つ、上りリンクに３つのコンポーネントキャリアを設けることもできる。また、各コンポーネントキャリアの帯域幅は、全て同一でなくてもよい。
【００４３】
図４は、第２の実施の形態の無線フレームの構造例を示す図である。無線基地局１００と移動局２００，２００ａとが無線通信を行うために、コンポーネントキャリア毎に無線フレームが形成される。１つの無線フレームは、複数のサブフレーム（例えば、１０サブフレーム）を含む。
【００４４】
サブフレーム内の無線リソースは無線基地局１００によって管理される。リソース管理における周波数方向の最小単位はサブキャリア、時間方向の最小単位はシンボルである。無線リソースの使用方法は、上りリンクと下りリンクで異なる。ＵＬサブフレームには、上りリンク共有チャネル（ＰＵＳＣＨ：Physical Uplink Shared CHannel）のための領域が設けられている。一方、ＤＬサブフレームには、下りリンク共有チャネル（ＰＤＳＣＨ：Physical Downlink Shared CHannel）および下りリンク制御チャネル（ＰＤＣＣＨ：Physical Downlink Control CHannel）のための領域が設けられている。
【００４５】
ＰＵＳＣＨは、移動局２００，２００ａが無線基地局１００に対して、ユーザデータと制御情報を送信するための物理チャネルである。ＰＵＳＣＨで送信される制御情報には、ユーザデータを送信するための無線リソースの割り当て要求が含まれる。移動局２００，２００ａそれぞれに対して、ＰＵＳＣＨが設定される。１つのＵＬサブフレームに、周波数分割により複数の移動局分のＰＵＳＣＨを設定できる。ＰＵＳＣＨへの無線リソースの割り当ては、無線基地局１００によって動的に行われる。
【００４６】
ＰＤＳＣＨは、無線基地局１００が移動局２００，２００ａに対して、ユーザデータや上位レイヤの制御データを送信するための物理チャネルである。移動局２００，２００ａそれぞれに対して、ＰＤＳＣＨが設定される。１つのＤＬサブフレームに、直交周波数分割により複数の移動局分のＰＤＳＣＨを設定できる。すなわち、ＰＤＳＣＨに割り当て可能な領域として複数シンボル分の無線リソースが設けられており、この領域を周波数分割して複数のＰＤＳＣＨを設定できる。ＰＤＳＣＨへの無線リソースの割り当ては、無線基地局１００によって動的に行われる。
【００４７】
ＰＤＣＣＨは、無線基地局１００が移動局２００，２００ａに対して、制御情報を送信するための物理チャネルである。ＰＤＣＣＨで送信される制御情報には、ＰＵＳＣＨおよびＰＤＳＣＨに関する情報が含まれる。ＰＵＳＣＨに関する情報は、ＰＵＳＣＨに割り当てた無線リソースを示す情報、変調符号化方式（ＭＣＳ：Modulation and Coding Scheme）などデータフォーマットを指定する情報、ＨＡＲＱ（Hybrid Automatic Repeat reQuest）による上り再送制御を示す情報を含む。ＰＤＳＣＨに関する情報は、ＰＤＳＣＨに割り当てた無線リソースを示す情報、データフォーマットを示す情報、下り再送制御を示す情報を含む。
【００４８】
ＰＤＣＣＨは、ＰＵＳＣＨ，ＰＤＳＣＨそれぞれに対応して設定される。すなわち、ＰＵＳＣＨに関する制御情報とＰＤＳＣＨに関する制御情報とは、異なるＰＤＣＣＨで送信される。また、異なる移動局に対する制御情報は、異なるＰＤＣＣＨで送信される。１つのＤＬサブフレームには、直交周波数分割により複数のＰＤＣＣＨを設定できる。すなわち、ＰＤＣＣＨに割り当て可能な領域として、ＤＬサブフレームの先頭から複数シンボル分の無線リソースが設けられており、この領域内に複数のＰＤＣＣＨを設定できる。
【００４９】
なお、図３，４に示したキャリア構造および無線フレームの構造は、第２の実施の形態に係る移動通信システムを実現するための一例に過ぎない。例えば、図３，４では、双方向通信を行うために、周波数分割複信（Frequency Division Duplex）を用いたが、時分割複信（Time Division Duplex）を用いてもよい。すなわち、ＵＬサブフレームとＤＬサブフレームとが時分割に交互に出現する無線フレームを用いて通信してもよい。
【００５０】
また、上記説明では、ＰＵＳＣＨに関する制御情報とＰＤＳＣＨに関する制御情報とを異なるＰＤＣＣＨで送信するとしたが、この２つの制御情報を１つのＰＤＣＣＨで送信できるようにしてもよい。また、上記説明では、異なる移動局に対する制御情報は異なるＰＤＣＣＨで送信するとしたが、複数の移動局に対する制御情報を１つのＰＤＣＣＨで送信できるようにしてもよい。
【００５１】
図５は、第２の実施の形態のＰＤＳＣＨとＰＵＳＣＨの割り当て例を示す図である。図５の例では、下りリンクのＣＣ＃１にユーザ＃１（移動局２００）のＰＤＣＣＨが設定され、ＣＣ＃２にユーザ＃２（移動局２００ａ）のＰＤＣＣＨが設定され、ＣＣ＃３にユーザ＃３のＰＤＣＣＨが設定されている。このように、同一の移動局に関するＰＤＣＣＨを１つのコンポーネントキャリアに集約することで、移動局２００，２００ａは監視するコンポーネントキャリアを絞り込むことができ、省電力化の点で有利になる。ただし、同一の移動局のＰＤＣＣＨが複数のコンポーネントキャリアに分散してもよい。
【００５２】
また、図５の例では、あるタイミングにおいて、下りリンクのＣＣ＃１にユーザ＃１，＃２のＰＤＳＣＨが設定され、ＣＣ＃２にユーザ＃１，＃２のＰＤＳＣＨが設定されている。前述のように、ユーザ＃１のＰＤＳＣＨに関する制御情報はＣＣ＃１で送信され、ユーザ＃２のＰＤＳＣＨに関する制御情報はＣＣ＃２で送信されている。
【００５３】
また、別のタイミングにおいて、上りリンクのＣＣ＃１にユーザ＃１，＃３のＰＵＳＣＨが設定され、ＣＣ＃２にユーザ＃２，＃３のＰＵＳＣＨが設定されている。前述のように、ユーザ＃１のＰＵＳＣＨに関する制御情報は上りリンクのＣＣ＃１で送信され、ユーザ＃２のＰＵＳＣＨに関する制御情報はＣＣ＃２で送信され、ユーザ＃３のＰＵＳＣＨに関する制御情報はＣＣ＃３で送信されている。
【００５４】
このように、ＰＤＣＣＨで送信される制御情報には、そのＰＤＣＣＨが属するコンポーネントキャリアとは異なるコンポーネントキャリア内のチャネルに関する制御情報も含まれる。そこで、移動局２００，２００ａは、ＰＤＣＣＨで受信した制御情報が、何れのコンポーネントキャリアについての制御情報であるかを容易に特定できることが好ましい。
【００５５】
なお、ＰＵＳＣＨに関する制御情報は、例えば、そのＰＵＳＣＨが設定されたＵＬサブフレームよりも所定タイミングだけ前のＤＬサブフレームで送信される。また、ＰＤＳＣＨに関する制御情報は、例えば、そのＰＤＳＣＨが設定されたＤＬサブフレームと同一のサブフレームで送信される。
【００５６】
図６は、第２の実施の形態の無線基地局を示すブロック図である。無線基地局１００は、アンテナ１１０、無線受信部１２０、ＰＵＳＣＨ処理部１３０、スケジューラ１４０、ＰＤＳＣＨ生成部１５０、ＰＤＣＣＨ生成部１６０および無線送信部１７０を有する。
【００５７】
アンテナ１１０は、送信・受信兼用のアンテナである。アンテナ１１０は、移動局２００，２００ａから受信した無線信号を無線受信部１２０に出力する。また、無線送信部１７０から取得した送信信号を無線出力する。なお、無線基地局１００に、送信用アンテナと受信用アンテナとを別個に設けてもよい。また、ダイバーシティ通信のために、複数の送受信アンテナを設けてもよい。
【００５８】
無線受信部１２０は、アンテナ１１０から取得した受信信号をベースバンド信号に変換し、変換後の受信信号をＰＵＳＣＨ処理部１３０に出力する。無線信号からベースバンド信号への変換のために、無線受信部１２０は、例えば、低雑音増幅器（ＬＮＡ：Low Noise Amplifier）、周波数変換器、帯域通過フィルタ（ＢＰＦ：Band Pass Filter）、Ａ／Ｄ（Analog to Digital）変換器などを備える。
【００５９】
ＰＵＳＣＨ処理部１３０は、無線受信部１２０から取得したベースバンド信号から、ＰＵＳＣＨ信号を抽出して誤り訂正復号する。ＰＵＳＣＨの復号の際には、無線基地局１００が移動局２００，２００ａにＰＤＣＣＨで通知した変調符号化方式の情報を参照する。これにより、移動局２００，２００ａが送信したユーザデータや制御情報が抽出される。抽出された制御情報にＵＬ無線リソースの要求を示す情報が含まれている場合、ＰＵＳＣＨ処理部１３０は、その制御情報をスケジューラ１４０に出力する。
【００６０】
スケジューラ１４０は、ＤＬ無線リソースとＵＬ無線リソースの割り当てを管理する。すなわち、スケジューラ１４０は、無線基地局１００が備えるバッファ（図示せず）に移動局２００，２００ａ宛てのユーザデータが到着すると、ＤＬ無線リソースを移動局２００，２００ａに割り当てる。また、ＰＵＳＣＨ処理部１３０から取得した制御情報から、移動局２００，２００ａが送信しようとするユーザデータ量を検知し、ＵＬ無線リソースを移動局２００，２００ａに割り当てる。そして、スケジューラ１４０は、スケジューリング結果をＰＤＳＣＨ生成部１５０とＰＤＣＣＨ生成部１６０に通知する。
【００６１】
ＰＤＳＣＨ生成部１５０は、スケジューラ１４０から通知されるスケジューリング結果に応じて、無線基地局１００が備えるバッファ（図示せず）から移動局２００，２００ａ宛てのユーザデータを取り出す。そして、ユーザデータを誤り訂正符号化してＰＤＳＣＨ信号を生成し、無線送信部１７０に出力する。
【００６２】
ＰＤＣＣＨ生成部１６０は、スケジューラ１４０から通知されるＤＬ無線リソースについてのスケジューリング結果に応じて、ＰＤＳＣＨに関する制御情報を生成する。また、スケジューラ１４０から通知されるＵＬ無線リソースについてのスケジューリング結果に応じて、ＰＵＳＣＨに関する制御情報を生成する。そして、ＰＤＣＣＨ生成部１６０は、制御情報を誤り訂正符号化してＰＤＣＣＨ信号を生成し、無線送信部１７０に出力する。ＰＤＣＣＨ生成部１６０の詳細は後述する。
【００６３】
無線送信部１７０は、ＰＤＳＣＨ生成部１５０から取得したＰＤＳＣＨ信号（データ信号）とＰＤＣＣＨ生成部１６０から取得したＰＤＣＣＨ信号（制御信号）を、無線信号に変換してアンテナ１１０に出力する。ベースバンド信号から無線信号への変換のために、無線送信部１７０は、例えば、Ｄ／Ａ（Digital to Analog）変換器、周波数変換器、帯域通過フィルタなどを備える。
【００６４】
図７は、第２の実施の形態のＰＤＣＣＨ生成部の詳細を示すブロック図である。ＰＤＣＣＨ生成部１６０は、制御情報生成部１６１、パリティ付加部１６２、スクランブル位置制御部１６３、スクランブル系列生成部１６４、スクランブル部１６５および誤り訂正符号化部１６６を有する。
【００６５】
制御情報生成部１６１は、ＰＤＳＣＨおよびＰＵＳＣＨに関する制御情報を生成する。前述のように、ＰＤＳＣＨに関する制御情報には、無線基地局１００がそのＰＤＳＣＨに適用する変調符号化方式や、ＤＬサブフレーム内におけるＰＤＳＣＨの位置を示す情報が含まれる。ＰＵＳＣＨに関する制御情報には、移動局２００，２００ａがそのＰＵＳＣＨに適用すべき変調符号化方式や、ＵＬサブフレーム内におけるＰＵＳＣＨの位置を示す情報が含まれる。そして、制御情報生成部１６１は、制御情報を示すビット列をパリティ付加部１６２に出力する。なお、ビット列の長さは固定でも可変でもよい。
【００６６】
パリティ付加部１６２は、制御情報生成部１６１から取得したビット列（情報ビット）に基づいて、誤り検出用のビット列（パリティビット）を生成する。誤り検出方式としては、例えば、ＣＲＣを用いることができる。そして、パリティ付加部１６２は、情報ビットにパリティビットを付加した制御信号を生成し、スクランブル部１６５に出力する。
【００６７】
その際、パリティ付加部１６２は、制御信号の送信先の移動局に応じたスクランブル系列を用いて、パリティビットをスクランブル処理する。使用するスクランブル系列は、各移動局に予め割り当てたＩＤであるＲＮＴＩ（Radio Network Temporary Identifier）に応じた系列である。これにより、移動局２００，２００ａは、パリティビットのスクランブルを解除できるか否かによって、自局宛ての制御信号であるか否か判断できる。なお、パリティビットのスクランブル処理は、情報ビットとパリティビットとを結合する前に行ってもよいし、結合した後に行ってもよい。
【００６８】
スクランブル位置制御部１６３は、パリティ付加部１６２が生成した制御信号のうち更にスクランブル処理する区間を制御する。スクランブル位置制御部１６３には、５つのコンポーネントキャリア（ＣＣ＃１〜＃５）と５通りの区間との対応関係が予め登録されている。スクランブル位置制御部１６３は、何れのコンポーネントキャリアに関する制御信号であるか判断し、スクランブル処理の区間をスクランブル部１６５に通知する。
【００６９】
例えば、スクランブル位置制御部１６３は、上りリンクのＣＣ＃１内のＰＵＳＣＨに関する制御信号である場合、ＣＣ＃１に対応する区間をスクランブル部１６５に通知する。また、下りリンクのＣＣ＃２内のＰＤＳＣＨに関する制御信号である場合、ＣＣ＃２に対応する区間をスクランブル部１６５に通知する。
【００７０】
スクランブル系列生成部１６４は、スクランブル系列を生成し、スクランブル部１６５に出力する。出力するスクランブル系列のビット長は、スクランブル処理する区間内にある制御信号のビット長と同じでよい。
【００７１】
スクランブル系列の一例として、以下のものが考えられる。ＰＤＳＣＨに関する制御信号の場合とＰＵＳＣＨに関する制御信号の場合とで、異なる系列を使用してもよい。
（ａ）制御信号の送信先の移動局に割り当てたＲＮＴＩを表すビット列
（ｂ）セルＩＤを表すビット列
（ｃ）移動局２００，２００ａと予め合意した任意のランダム系列
（ｄ）ＲＮＴＩとセルＩＤの一方または両方を初期値として生成する擬似ランダム系列
（ｅ）全て「１」のビット列
（ｆ）「０」「１」交番のビット列
スクランブル部１６５は、パリティ付加部１６２から取得した制御信号の一部区間を、スクランブル系列生成部１６４から取得したスクランブル系列を用いてスクランブル処理する。具体的には、区間内の信号とスクランブル系列との間で、ビット毎に排他的論理和を演算し、区間内の信号を得られたビット列に置き換える。スクランブル処理の対象区間は、スクランブル位置制御部１６３から通知される。そして、スクランブル処理後の制御信号を、誤り訂正符号化部１６６に出力する。これにより、移動局２００，２００ａは、スクランブル処理が施されている区間を推定することで、何れのコンポーネントキャリアに関する制御信号であるかを特定できる。
【００７２】
なお、パリティ付加部１６２で行うスクランブル処理とスクランブル部１６５で行うスクランブル処理とは、別個の処理である。上記説明では、パリティビットをＲＮＴＩに応じてスクランブルした後に、コンポーネントキャリアに応じた区間をスクランブルしているが、後者のスクランブル処理が情報ビットのみ対象とする場合には、２つのスクランブル処理は任意の順序で実行可能である。
【００７３】
誤り訂正符号化部１６６は、スクランブル部１６５から取得したスクランブル処理後の制御信号を、誤り訂正符号化する。ＰＤＣＣＨの符号化には所定の符号化方式を用いる。そして、誤り訂正符号化部１６６は、生成したＰＤＣＣＨ信号を無線送信部１７０に出力する。なお、上記説明では、コンポーネントキャリアに応じた区間をスクランブル処理した後に、誤り訂正符号化しているが、両者の順序を逆にする方法も考えられる。
【００７４】
図８は、第２の実施の形態の移動局を示すブロック図である。移動局２００は、アンテナ２１０、無線受信部２２０、制御信号抽出部２３０、制御信号復号部２４０、ＰＤＳＣＨ抽出部２５０、ＰＤＳＣＨ復号部２６０、ＰＵＳＣＨ生成部２７０および無線送信部２８０を有する。移動局２００ａも、移動局２００と同様の構成によって実現できる。
【００７５】
アンテナ２１０は、送信・受信兼用のアンテナである。アンテナ２１０は、無線基地局１００から受信した無線信号を無線受信部２２０に出力する。また、無線送信部２８０から取得した送信信号を無線出力する。なお、移動局２００に、送信用アンテナと受信用アンテナとを別個に設けてもよい。また、複数の送受信アンテナを設けてもよい。
【００７６】
無線受信部２２０は、アンテナ２１０から取得した受信信号をベースバンド信号に変換し、変換後の受信信号を制御信号抽出部２３０とＰＤＳＣＨ抽出部２５０に出力する。無線信号からベースバンド信号への変換のために、無線受信部２２０は、例えば、低雑音増幅器、周波数変換器、帯域通過フィルタ、Ａ／Ｄ変換器などを備える。
【００７７】
制御信号抽出部２３０は、無線受信部２２０から取得したベースバンド信号としての受信信号から、自局宛てのＰＤＣＣＨ信号である可能性のある信号（ＰＤＣＣＨ信号候補）を抽出する。そして、制御信号抽出部２３０は、抽出したＰＤＣＣＨ信号候補を制御信号復号部２４０に出力する。
【００７８】
制御信号復号部２４０は、制御信号抽出部２３０から取得したＰＤＣＣＨ信号候補を誤り訂正復号し、自局宛ての制御情報を抽出する。その際、制御信号復号部２４０は、抽出した制御情報が何れのコンポーネントキャリアに関する情報であるかを特定する。また、ＰＤＳＣＨとＰＵＳＣＨの何れに関する情報であるかを、制御情報の内容から判断する。
【００７９】
ＰＤＳＣＨに関する情報の場合、制御信号復号部２４０は、ＰＤＳＣＨ抽出部２５０およびＰＤＳＣＨ復号部２６０に、制御情報を出力すると共に特定したコンポーネントキャリアを通知する。ＰＵＳＣＨに関する情報の場合、ＰＵＳＣＨ生成部２７０に、制御情報を出力すると共に特定したコンポーネントキャリアを通知する。制御信号復号部２４０の詳細は後述する。
【００８０】
ＰＤＳＣＨ抽出部２５０は、無線受信部２２０から取得したベースバンド信号としての受信信号からＰＤＳＣＨ信号を抽出する。抽出すべき信号は、制御信号復号部２４０から通知されたコンポーネントキャリアと、制御信号復号部２４０から取得した制御信号が示すサブフレーム内での位置とによって特定される。そして、ＰＤＳＣＨ抽出部２５０は、抽出したＰＤＳＣＨ信号をＰＤＳＣＨ復号部２６０に出力する。
【００８１】
ＰＤＳＣＨ復号部２６０は、ＰＤＳＣＨ抽出部２５０から取得したＰＤＳＣＨ信号を誤り訂正復号する。ＰＤＳＣＨの復号の際には、制御信号復号部２４０から取得した制御情報が示す変調符号化方式を参照する。これにより、無線基地局１００が送信した移動局２００宛てのユーザデータが抽出される。そして、ＰＤＳＣＨ復号部２６０は、抽出したユーザデータを、上位レイヤの処理部（図示せず）に出力する。
【００８２】
ＰＵＳＣＨ生成部２７０は、制御信号復号部２４０から取得したＰＵＳＣＨに関する制御情報に基づいて、ＰＵＳＣＨ信号を生成する。すなわち、ＰＵＳＣＨ生成部２７０は、移動局２００が備えるバッファ（図示せず）からユーザデータを取り出す。また、無線基地局１００宛て制御情報を生成する。ここで生成する制御情報には、ＵＬ無線リソースの割り当て要求が含まれる。そして、ユーザデータおよび制御情報を指定された方式で誤り訂正符号化してＰＵＳＣＨ信号を生成し、無線送信部２８０に出力する。ＰＵＳＣＨ信号の送信タイミングは、例えば、制御情報の受信から所定サブフレーム数だけ後である。
【００８３】
無線送信部２８０は、ＰＵＳＣＨ生成部２７０から取得したＰＵＳＣＨ信号を、無線信号に変換してアンテナ２１０に出力する。ベースバンド信号から無線信号への変換のために、無線送信部２８０は、例えば、Ｄ／Ａ変換器、周波数変換器、帯域通過フィルタなどを備える。
【００８４】
図９は、第２の実施の形態の制御信号復号部の詳細を示す図である。制御信号復号部２４０は、誤り訂正復号部２４１、デスクランブル位置制御部２４２、スクランブル系列生成部２４３、デスクランブル部２４４および誤り検出部２４５を有する。
【００８５】
誤り訂正復号部２４１は、制御信号抽出部２３０から取得したＰＤＣＣＨ信号候補を、誤り訂正復号する。前述のように、ＰＤＣＣＨの符号化には、所定の符号化方式が用いられている。誤り訂正復号部２４１は、復号により得られた制御信号を、デスクランブル部２４４に出力する。
【００８６】
デスクランブル位置制御部２４２は、誤り訂正復号部２４１が出力した制御信号のうちデスクランブル処理する区間を制御する。デスクランブル位置制御部２４２には、５つのコンポーネントキャリア（ＣＣ＃１〜＃５）と５通りの区間との対応関係が予め登録されている。この対応関係は、無線基地局１００のスクランブル位置制御部１６３に登録されたものと同じである。デスクランブル位置制御部２４２は、ＰＤＳＣＨまたはＰＵＳＣＨが設定される可能性のあるコンポーネントキャリア（コンポーネントキャリア候補）に対応するデスクランブル処理の区間を、デスクランブル部２４４に通知する。
【００８７】
なお、コンポーネントキャリア候補は、移動局２００の通信状況によって変わる。例えば、移動局２００がＣＣ＃１〜＃３を使用しＣＣ＃４，＃５を使用しないことが決まっている場合、ＣＣ＃１〜＃３のみが候補となる。そのような限定がない場合、全てのコンポーネントキャリア（ＣＣ＃１〜＃５）が候補となり得る。
【００８８】
スクランブル系列生成部２４３は、スクランブル系列を生成し、デスクランブル部２４４に出力する。スクランブル系列生成部２４３は、無線基地局１００のスクランブル系列生成部１６４と同じスクランブル系列を生成する。スクランブル系列の例は、前述の通りである。出力するスクランブル系列のビット長は、デスクランブル処理する区間内にある制御信号のビット長と同じでよい。
【００８９】
デスクランブル部２４４は、誤り訂正復号部２４１から取得した復号済みの制御信号の一部区間を、スクランブル系列生成部２４３から取得したスクランブル系列を用いてデスクランブル処理する。このデスクランブル処理は、無線基地局１００のスクランブル部１６５が行うスクランブル処理の逆処理に相当する。具体的には、区間内の信号とスクランブル系列との間でビット毎に排他的論理和を演算し、区間内の信号を得られたビット列に置き換える。同じスクランブル系列で排他的論理和を２回行うと、元のビット列を復元できる。デスクランブル処理の対象区間は、デスクランブル位置制御部２４２から通知される区間の何れか１つを用いる。そして、デスクランブル処理後の制御信号を、誤り検出部２４５に出力する。
【００９０】
誤り検出部２４５は、デスクランブル部２４４から取得した制御信号に対して、誤り検出を行う。具体的には、誤り検出部２４５は、制御信号に含まれるパリティビットをデスクランブル処理する。使用するスクランブル系列は、無線基地局１００によって移動局２００に割り当てられたＲＮＴＩに応じた系列である。また、制御信号に含まれる情報ビットに基づいて、無線基地局１００のパリティ付加部１６２と同じ方法で、ビット列を生成する。そして、生成したビット列とデスクランブル済みのパリティビットとを比較して、情報ビットの誤りを検出する。誤り検出方式としては、例えば、ＣＲＣを使用できる。
【００９１】
誤り検出に合格した（検出結果がＯＫになった）場合、すなわち、誤り無しと判断した場合、誤り検出部２４５は、その制御信号を移動局２００宛ての正しい信号であると判断する。そして、パリティビット部分を破棄し、情報ビット部分のビット列を制御情報とみなして、ＰＤＳＣＨに関する情報かＰＵＳＣＨに関する情報かを判断する。一方、誤り検出に合格しない（検出結果がＮＧになった）場合、すなわち、誤りありと判断された場合は、その制御信号を破棄する。
【００９２】
誤り検出に合格しない原因としては、無線通信路での誤り発生の他に、以下の２つの原因が考えられる。１つは、その制御信号が移動局２００宛ての信号でない場合である。その場合、移動局２００のＲＮＴＩに応じたスクランブル系列を用いてパリティビットをデスクランブル処理しても、スクランブル処理前のパリティビットを復元できない。もう１つは、デスクランブル部２４４でデスクランブル処理した区間が、無線基地局１００のスクランブル部１６５でスクランブル処理した区間と異なる場合である。その場合も、スクランブル処理前の制御信号を復元できないことになる。
【００９３】
ここで、デスクランブル位置制御部２４２が複数の区間を指定した場合、すなわち、スクランブル処理が行われた区間の候補が複数ある場合は、デスクランブル部２４４および誤り検出部２４５は、各候補についてデスクランブル処理および誤り検出を試みる。そして、誤り検出部２４５は、誤り検出に合格したときのデスクランブル処理を行った区間を特定し、特定した区間に対応するコンポーネントキャリアを特定する。
【００９４】
なお、デスクランブル部２４４は、複数の候補区間について並列にデスクランブル処理を行い、複数のデスクランブル処理後の制御信号を誤り検出部２４５に出力してもよい。または、１つの候補区間についてデスクランブル処理を行い、そのデスクランブル処理後の制御信号が誤り検出に合格しなかった場合、次の候補区間についてデスクランブル処理を行うように、逐次実行してもよい。
【００９５】
また、前述のように、無線基地局１００は、コンポーネントキャリアに応じたスクランブル処理を、誤り訂正符号化後に行うことも可能である。その場合、移動局２００は、誤り訂正復号前に、各候補区間についてデスクランブル処理を行えばよい。ただし、スクランブル処理後に誤り訂正符号化を行う方が、移動局２００で同一の受信信号に対し誤り訂正復号を複数回行わなくて済むため、移動局２００の負荷を抑制できる点で有利である。
【００９６】
図１０は、第２の実施の形態の送信処理を示すフローチャートである。この処理は、無線基地局１００において継続的に実行される。以下、図１０に示す処理をステップ番号に沿って説明する。
【００９７】
（ステップＳ１１）制御情報生成部１６１は、ＰＤＳＣＨに関する制御情報またはＰＵＳＣＨに関する制御情報を生成する。
（ステップＳ１２）パリティ付加部１６２は、ステップＳ１１で生成された制御情報のビット列を情報ビットとみなし、所定の誤り検出方式（例えば、ＣＲＣ）に従って、情報ビットからパリティビットを生成する。
【００９８】
（ステップＳ１３）パリティ付加部１６２は、ステップＳ１２で生成されたパリティビットを、送信先の移動局のＲＮＴＩに応じたスクランブル系列を用いて、スクランブル処理する。具体的には、パリティビットとスクランブル系列との排他的論理和を演算し、演算後のビット列をパリティビットと置き換える。
【００９９】
以上の処理により、制御情報の内容を示す情報ビットとＲＮＴＩに応じてスクランブル処理されたパリティビットとを含む制御信号が得られる。
（ステップＳ１４）スクランブル位置制御部１６３は、制御信号の適用対象のＰＤＳＣＨまたはＰＵＳＣＨが、何番目のコンポーネントキャリアに設けられたチャネルであるか特定する。そして、特定したコンポーネントキャリアに対応付けられているスクランブル処理の対象とする区間を選択する。
【０１００】
（ステップＳ１５）スクランブル部１６５は、ステップＳ１１〜Ｓ１３で生成された制御信号のうち、ステップＳ１４で選択された区間の信号を、所定のスクランブル系列でスクランブル処理する。具体的には、区間内のビット列とスクランブル系列との排他的論理和を演算し、演算後のビット列を区間内のビット列と置き換える。
【０１０１】
（ステップＳ１６）誤り訂正符号化部１６６は、ステップＳ１５でスクランブル処理が施された後の制御信号を、所定の符号化方式に従って誤り訂正符号化し、ＰＤＣＣＨ信号として出力する。無線送信部１７０は、ＰＤＣＣＨ信号を無線信号に変換して送信する。
【０１０２】
このようにして、無線基地局１００は、複数のコンポーネントキャリアと互いに異なる複数通りのスクランブル処理する区間との対応関係を登録しておく。そして、制御信号の適用対象のコンポーネントキャリアに応じた区間をスクランブル処理する。
【０１０３】
図１１は、第２の実施の形態の受信処理を示すフローチャートである。この処理は、移動局２００において継続的に実行される。移動局２００ａでも同様の処理が実行される。以下、図１１に示す処理をステップ番号に沿って説明する。
【０１０４】
（ステップＳ２１）制御信号抽出部２３０は、移動局２００宛てＰＤＣＣＨ信号の候補を抽出する。誤り訂正復号部２４１は、抽出されたＰＤＣＣＨ信号の候補を誤り訂正復号し、制御信号として出力する。
【０１０５】
（ステップＳ２２）デスクランブル位置制御部２４２は、制御信号に関係するコンポーネントキャリアの候補を特定する。そして、特定したコンポーネントキャリアの候補に対応付けられているデスクランブル処理の区間の候補を選択する。デスクランブル部２４４は、選択された区間の候補それぞれについて、所定のスクランブル系列でデスクランブル処理を行う。具体的には、区間内のビット列とスクランブル系列との排他的論理和を演算し、演算後のビット列を区間内のビット列と置き換える。
【０１０６】
（ステップＳ２３）誤り検出部２４５は、制御信号に含まれるパリティビットを、移動局２００のＲＮＴＩに応じたスクランブル系列を用いて、デスクランブル処理する。具体的には、パリティビットとスクランブル系列との排他的論理和を演算し、演算後のビット列をパリティビットと置き換える。
【０１０７】
（ステップＳ２４）誤り検出部２４５は、ステップＳ２２，Ｓ２３でデスクランブル処理された後の制御信号から情報ビットとパリティビットとを抽出し、誤り検出を行う。そして、何れかのデスクランブル処理後の制御信号について、誤り検出結果がＯＫになった（誤り無しと判断された）か判断する。何れかの制御信号の検出結果がＯＫの場合、処理をステップＳ２５に進める。何れの制御信号の検出結果もＮＧの場合、処理を終了する。
【０１０８】
（ステップＳ２５）誤り検出部２４５は、制御信号に含まれる情報ビット部分のビット列を制御情報とみなし、制御情報の内容から、その制御情報がＰＤＳＣＨに関する情報であるか否か判断する。ＰＤＳＣＨに関する情報の場合、処理をステップＳ２６に進める。ＰＵＳＣＨに関する情報の場合、処理をステップＳ２８に進める。
【０１０９】
（ステップＳ２６）誤り検出部２４５は、誤り検出結果がＯＫになった際のデスクランブル処理が行われた区間を特定する。そして、特定した区間に対応付けられている下りリンクのコンポーネントキャリアを特定する。
【０１１０】
（ステップＳ２７）ＰＤＳＣＨ抽出部２５０は、ＰＤＳＣＨに関する制御情報に基づいて、ステップＳ２６で特定されたコンポーネントキャリアの受信信号からＰＤＳＣＨ信号を抽出する。ＰＤＳＣＨ復号部２６０は、抽出されたＰＤＳＣＨ信号を復号し、移動局２００宛てのユーザデータを抽出する。
【０１１１】
（ステップＳ２８）誤り検出部２４５は、誤り検出結果がＯＫになった際のデスクランブル処理が行われた区間を特定する。そして、特定した区間に対応付けられている上りリンクのコンポーネントキャリアを特定する。
【０１１２】
（ステップＳ２９）ＰＵＳＣＨ生成部２７０は、ＰＵＳＣＨに関する制御情報に基づいて、ステップＳ２８で特定されたコンポーネントキャリアで送信するＰＵＳＣＨ信号を生成する。無線送信部２８０は、ＰＵＳＣＨ信号を無線信号に変換して送信する。
【０１１３】
このようにして、移動局２００は、複数のコンポーネントキャリアと互いに異なる複数通りのデスクランブル処理する区間との対応関係を登録しておく。そして、受信した制御信号に対し、複数の区間の候補それぞれについてデスクランブル処理を試み、誤り検出の結果から、スクランブル処理が施されている区間を推定する。推定した区間から、制御情報に関連するコンポーネントキャリアを特定することができる。なお、前述のように、複数の区間の候補についてのデスクランブル処理および誤り検出は、並列に実行することもできるし、逐次実行することもできる。
【０１１４】
図１２は、第２の実施の形態の制御信号の第１の例を示す図である。ここでは、パリティ付加後の制御信号に、３０ビットの情報ビットと１６ビットのパリティビットが含まれているとする。また、情報ビットのうちの１６ビットをスクランブル処理するとする。
【０１１５】
第１の例では、制御信号の適用対象のチャネル（ＰＤＳＣＨまたはＰＵＳＣＨ）が設けられたコンポーネントキャリアの番号に対応して、スクランブル処理する区間を１ビットずつずらしている。制御信号の対象区間の１６ビットとスクランブル系列の１６ビットとの間で、ビット毎に排他的論理和が演算される。
【０１１６】
具体的には、ＣＣ＃１に関する制御信号の場合、先頭１６ビットの区間（Ｃ０〜Ｃ１５）がスクランブルされる。ＣＣ＃２に関する制御信号の場合、ＣＣ＃１の場合より１ビット後方にずれた区間（Ｃ１〜Ｃ１６）がスクランブルされる。同様に、ＣＣ＃３に関する制御信号の場合はＣ２〜Ｃ１７、ＣＣ＃４に関する制御信号の場合はＣ３〜Ｃ１８、ＣＣ＃５に関する制御信号の場合はＣ４〜Ｃ１９がスクランブルされる。
【０１１７】
図１３は、第２の実施の形態の制御信号の第２の例を示す図である。第２の例では、制御信号の適用対象のチャネルが設けられたコンポーネントキャリアの番号に対応して、スクランブル処理する区間を２ビットずつずらしている。
【０１１８】
具体的には、ＣＣ＃１に関する制御信号の場合、先頭１６ビットの区間（Ｃ０〜Ｃ１５）がスクランブルされる。ＣＣ＃２に関する制御信号の場合、ＣＣ＃１の場合より２ビット後方にずれた区間（Ｃ２〜Ｃ１７）がスクランブルされる。同様に、ＣＣ＃３に関する制御信号の場合はＣ４〜Ｃ１９、ＣＣ＃４に関する制御信号の場合はＣ６〜Ｃ２１、ＣＣ＃５に関する制御信号の場合はＣ８〜Ｃ２３がスクランブルされる。
【０１１９】
図１４は、第２の実施の形態の制御信号の第３の例を示す図である。第３の例では、制御信号の適用対象のチャネルが設けられたコンポーネントキャリアの番号に対応して、スクランブル処理する区間を１ビットずつずらしている。ただし、情報ビットの末尾から前方に向かってずらす点で、第１の例と異なる。
【０１２０】
具体的には、ＣＣ＃１に関する制御信号の場合、末尾１６ビットの区間（Ｃ１４〜Ｃ２９）がスクランブルされる。ＣＣ＃２に関する制御信号の場合、ＣＣ＃１の場合より１ビット前方にずれた区間（Ｃ１３〜Ｃ２８）がスクランブルされる。同様に、ＣＣ＃３に関する制御信号の場合はＣ１２〜Ｃ２７、ＣＣ＃４に関する制御信号の場合はＣ１１〜Ｃ２６、ＣＣ＃５に関する制御信号の場合はＣ１０〜Ｃ２５がスクランブルされる。
【０１２１】
このように、５つのコンポーネントキャリア（ＣＣ＃１〜＃５）とスクランブル処理する区間との対応付けには、様々な方法が考えられる。図１２〜１４に示した方法は、その一例に過ぎない。例えば、ＣＣ＃１と対応付ける区間を、情報ビットの先頭や末尾としなくてもよい。また、区間をずらす量を等間隔にしなくてもよい。また、図１２〜１４に示した方法では連続した区間をスクランブル処理しているが、不連続な区間としてもよい。また、スクランブル処理する区間が、情報ビットとパリティビットとに跨ってもよい。
【０１２２】
また、スクランブル区間の長さは、１６ビットでなくてもよく、ＣＣ＃１〜＃５の全てについて同一にしなくてもよい。ただし、スクランブル区間が長い方が、移動局２００，２００ａがコンポーネントキャリアを誤検出する確率を低減できる。図１２〜１４の方法のように、Ｎビットずつずらした区間を設定する場合、スクランブル区間の長さは、情報ビット長−（コンポーネントキャリア数−１）×Ｎ以下の範囲で設定できる。
【０１２３】
このような第２の実施の形態に係る移動通信システムによれば、制御信号の適用対象のＰＤＳＣＨまたはＰＵＳＣＨが設けられたコンポーネントキャリアを、無線基地局１００から移動局２００，２００ａに効率的に通知することができる。すなわち、制御信号にコンポーネントキャリアの番号を付加する方法と比べて、ＰＤＣＣＨの無線リソースの消費量を抑制することができる。また、移動局２００，２００ａにコンポーネントキャリア数だけＲＮＴＩを割り当てる方法と比べて、ＲＮＴＩの枯渇を抑制できる。
【０１２４】
なお、以上説明した第２の実施の形態では、スクランブル処理された区間からコンポーネントキャリアの番号を特定するが、下りリンクと上りリンクとは区別しない。これは、制御情報の内容から、制御情報がＰＤＳＣＨに関する情報かＰＵＳＣＨに関する情報かを判断可能なためである。ただし、スクランブル処理された区間から、下りリンクと上りリンクとを区別できるようにしてもよい。例えば、１０通りのスクランブル区間を用意し、１０個のコンポーネントキャリアを一意に識別してもよい。
【０１２５】
また、第２の実施の形態では、ＰＤＳＣＨの制御信号とＰＵＳＣＨの制御信号の両方について、スクランブル処理によってコンポーネントキャリアを特定している。しかし、何れか一方のみ、上記処理を行ってもよい。例えば、ＰＤＳＣＨの制御信号のみ、スクランブル処理によってコンポーネントキャリアを特定し、ＰＵＳＣＨの制御情報については、コンポーネントキャリア番号を明示的に付加してもよい。逆に、ＰＵＳＣＨの制御信号のみ、スクランブル処理によってコンポーネントキャリアを特定し、ＰＤＳＣＨの制御情報については、コンポーネントキャリア番号を明示的に付加することも可能である。
【０１２６】
また、以上説明した第２の実施の形態では、全てのコンポーネントキャリアに関する制御信号の場合にスクランブル処理およびデスクランブル処理を行う例を示したが、特定のコンポーネントキャリアに関する制御信号の場合（例えば、ＰＤＣＣＨとＰＤＳＣＨが同じコンポーネントキャリアで送信される場合やＰＤＣＣＨを送信するコンポーネントキャリアの番号とＰＵＳＣＨを送信するコンポーネントキャリアの番号が同じ場合）には、スクランブル処理およびデスクランブル処理を行わないようにしてもよい。
【０１２７】
また、以上説明した第２の実施の形態では、ＰＤＣＣＨ，ＰＤＳＣＨ，ＰＵＳＣＨなどの用語を用いて説明したが、より一般的には、それぞれ下りリンク制御チャネル，下りリンク共有チャネル，上りリンク共有チャネルと呼ばれ得る。すなわち、上述の無線通信方法は、適用分野を限定するものではなく、固定無線通信など移動通信以外の無線通信や無線ＬＡＮなどにも適用可能である。これは、以降の実施の形態でも同様である。
【０１２８】
［第３の実施の形態］
次に、第３の実施の形態について説明する。第２の実施の形態との差異について中心に説明し、第２の実施の形態と同様の事項については説明を省略する。第２の実施の形態では、スクランブル処理する区間によって、制御信号が適用されるチャネルの属するコンポーネントキャリアを特定した。これに対し、第３の実施の形態では、スクランブル処理する区間によって、チャネルの先頭の無線リソースを特定する。
【０１２９】
第３の実施の形態に係る移動通信システムは、図２と同様の構成によって実現できる。また、第３の実施の形態の無線通信に用いるコンポーネントキャリアおよび無線フレームの構造は、図３〜５に示した第２の実施の形態のものと同様である。ここで、ＤＬサブフレームにおけるＰＤＣＣＨとＰＤＳＣＨの境界は可変である。
【０１３０】
図１５は、第３の実施の形態のＰＤＳＣＨの割り当て例を示す図である。各ＤＬサブフレームでは、先頭の数シンボルがＰＤＣＣＨの領域として割り当てられ、残りのシンボルがＰＤＳＣＨの領域として割り当てられている。ここで、ＰＤＣＣＨの領域のシンボル数は、ＤＬサブフレームによって異なる。
【０１３１】
以下の説明では、ＰＤＣＣＨの領域のシンボル数は、１〜３シンボルの範囲で可変であるとする。図１５の例の場合、ＣＣ＃１のＤＬサブフレームでは、ＰＤＣＣＨの領域に２シンボル割り当てられている。よって、ＰＤＳＣＨは３シンボル目から始まる。ＣＣ＃２のＤＬサブフレームでは、ＰＤＣＣＨの領域に３シンボル割り当てられている。よって、ＰＤＳＣＨは４シンボル目から始まる。ＣＣ＃３のＤＬサブフレームでは、ＰＤＣＣＨの領域に１シンボル割り当てられている。よって、ＰＤＳＣＨは２シンボル目から始まる。
【０１３２】
各ＤＬサブフレームのＰＤＣＣＨの領域には、ＰＣＦＩＣＨ（Physical Control Format Indicator CHannel）が設けられている。ＰＣＦＩＣＨは、自サブフレームのＰＤＣＣＨ領域のシンボル数を伝送する。よって、図１５に示したＣＣ＃１のＤＬサブフレームのＰＣＦＩＣＨは「２」を伝送する。ＣＣ＃２のＤＬサブフレームのＰＣＦＩＣＨは「３」を伝送する。ＣＣ＃３のＤＬサブフレームのＰＣＦＩＣＨは「１」を伝送する。
【０１３３】
この無線フレームの受信する装置は、ＰＣＦＩＣＨを参照することで、ＰＤＳＣＨ信号が伝送されているシンボル位置を特定することができる。しかし、この方法だけでは、ＰＣＦＩＣＨの認識に失敗すると、ＰＤＳＣＨ信号を正しく抽出できなくなる。そこで、第３の実施の形態では、ＰＣＦＩＣＨの認識に失敗しても、ＰＤＳＣＨ信号を正しく抽出できるようにする。
【０１３４】
第３の実施の形態に係る無線基地局は、図６，７に示した第２の実施の形態に係る無線基地局１００と同様の構成により実現できる。ただし、スクランブル位置制御部１６３の制御が、上記の点で異なる。第３の実施の形態に係る移動局は、図８，９に示した第２の実施の形態に係る移動局２００と同様の構成により実現できる。ただし、デスクランブル位置制御部２４２および誤り検出部２４５の制御が、上記の点で異なる。以下では、第２の実施の形態と同様の符号を用いて、第３の実施の形態の制御を説明する。
【０１３５】
図１６は、第３の実施の形態の送信処理を示すフローチャートである。この処理は、無線基地局１００において継続的に実行される。以下、図１６に示す処理をステップ番号に沿って説明する。
【０１３６】
（ステップＳ３１）制御情報生成部１６１は、ＰＤＳＣＨに関する制御情報またはＰＵＳＣＨに関する制御情報を生成する。なお、ＰＤＳＣＨまたはＰＵＳＣＨが設けられたコンポーネントキャリアを識別するために、制御情報にコンポーネントキャリア番号を付加してもよい。
【０１３７】
（ステップＳ３２）パリティ付加部１６２は、ステップＳ３１で生成された制御情報のビット列を情報ビットとみなし、情報ビットからパリティビットを生成する。
（ステップＳ３３）パリティ付加部１６２は、ステップＳ３２で生成されたパリティビットを、送信先のＲＮＴＩに応じたスクランブル系列を用いて、スクランブル処理する。
【０１３８】
以上の処理により、制御情報の内容を示す情報ビットとＲＮＴＩに応じてスクランブル処理されたパリティビットとを含む制御信号が得られる。
（ステップＳ３４）スクランブル位置制御部１６３は、制御信号がＰＤＳＣＨに関する制御信号であるか否か判断する。ＰＤＳＣＨに関する制御信号の場合、処理をステップＳ３５に進める。ＰＵＳＣＨに関する制御信号の場合、処理をステップＳ３７に進める。
【０１３９】
（ステップＳ３５）スクランブル位置制御部１６３は、制御信号の適用対象のＰＤＳＣＨが設定されたＤＬサブフレームを特定し、特定したＤＬサブフレームにおけるＰＤＣＣＨの領域とＰＤＳＣＨの領域との境界（すなわち、ＰＤＳＣＨの先頭が何シンボル目か）を特定する。そして、特定した境界に対応付けられているスクランブル処理の区間を選択する。なお、スクランブル位置制御部１６３には、３通りの境界と３通りのスクランブル処理の区間との対応関係が予め登録されている。
【０１４０】
（ステップＳ３６）スクランブル部１６５は、ステップＳ３１〜Ｓ３３で生成された制御信号のうち、ステップＳ３５で選択された区間の信号を、所定のスクランブル系列でスクランブル処理する。
【０１４１】
（ステップＳ３７）誤り訂正符号化部１６６は、制御信号を誤り訂正符号化し、ＰＤＣＣＨ信号として出力する。無線送信部１７０は、ＰＤＣＣＨ信号を無線信号に変換して送信する。
【０１４２】
このようにして、無線基地局１００は、複数通りのサブフレームの構造と互いに異なる複数通りのスクランブル区間との対応関係を登録しておく。そして、制御信号の適用対象のＰＤＳＣＨが設けられたサブフレームに応じた区間をスクランブル処理する。なお、ＰＵＳＣＨに関する制御信号は、ステップＳ３６のスクランブル処理を行わなくてよい。
【０１４３】
図１７は、第３の実施の形態の受信処理を示すフローチャートである。この処理は、移動局２００において継続的に実行される。移動局２００ａでも同様の処理が実行される。以下、図１７に示す処理をステップ番号に沿って説明する。
【０１４４】
（ステップＳ４１）制御信号抽出部２３０は、移動局２００宛てＰＤＣＣＨ信号の候補を抽出する。誤り訂正復号部２４１は、抽出されたＰＤＣＣＨ信号の候補を誤り訂正復号し、制御信号として出力する。
【０１４５】
（ステップＳ４２）デスクランブル位置制御部２４２は、ＰＤＣＣＨの領域とＰＤＳＣＨの領域の境界の候補を特定する。そして、特定した境界の候補に対応付けられているデスクランブル処理の区間の候補を選択する。デスクランブル部２４４は、選択された区間の候補それぞれについて、所定のスクランブル系列でデスクランブル処理を行う。なお、デスクランブル位置制御部２４２には、３通りの境界と３通りのデスクランブル処理の区間との対応関係が予め登録されている。
【０１４６】
（ステップＳ４３）誤り検出部２４５は、制御信号に含まれるパリティビットを、移動局２００のＲＮＴＩに応じたスクランブル系列を用いて、デスクランブル処理する。
（ステップＳ４４）誤り検出部２４５は、ステップＳ４３のデスクランブル処理を行った制御信号と、ステップＳ４３のデスクランブル処理を行わない制御信号とに対して、誤り検出を行う。そして、何れかの制御信号について、誤り検出結果がＯＫになったか判断する。何れかの制御信号の検出結果がＯＫの場合、処理をステップＳ４５に進める。何れの制御信号の検出結果もＮＧの場合、処理を終了する。
【０１４７】
（ステップＳ４５）誤り検出部２４５は、制御情報の内容から、その制御情報がＰＤＳＣＨに関する情報であるか否か判断する。ＰＤＳＣＨに関する情報の場合、処理をステップＳ４６に進める。ＰＵＳＣＨに関する情報の場合、処理をステップＳ４８に進める。なお、ＰＤＳＣＨに関する制御情報は、ステップＳ４３のデスクランブル処理を行った制御信号から抽出される。ＰＵＳＣＨに関する制御情報は、ステップＳ４３のデスクランブル処理を行わない制御信号から抽出される。
【０１４８】
（ステップＳ４６）誤り検出部２４５は、誤り検出結果がＯＫになった際のデスクランブル区間を特定する。そして、特定した区間からＰＤＳＣＨの先頭シンボルを特定する。
（ステップＳ４７）ＰＤＳＣＨ抽出部２５０は、ＰＤＳＣＨに関する制御情報とステップＳ４６で特定した先頭シンボルに基づいて、受信信号からＰＤＳＣＨ信号を抽出する。ＰＤＳＣＨ復号部２６０は、抽出されたＰＤＳＣＨ信号を復号し、移動局２００宛てのユーザデータを抽出する。なお、ＰＤＳＣＨ抽出部２５０は、ＰＤＣＣＨ領域内のＰＣＦＩＣＨで伝送された情報を更に参照して、ＰＤＳＣＨの先頭シンボルを確認してもよい。
【０１４９】
（ステップＳ４８）ＰＵＳＣＨ生成部２７０は、ＰＵＳＣＨに関する制御情報に基づいてＰＵＳＣＨ信号を生成する。無線送信部２８０は、ＰＵＳＣＨ信号を無線信号に変換して送信する。
【０１５０】
このようにして、移動局２００は、複数通りのサブフレームの構造と互いに異なる複数通りのデスクランブル区間との対応関係を登録しておく。そして、受信した制御信号に対して、複数の区間の候補それぞれについてデスクランブル処理を試み、誤り検出の結果から、スクランブル処理が施されている区間を推定する。推定した区間から、ＰＤＳＣＨの先頭シンボルを特定することができる。
【０１５１】
ＤＬサブフレームの構造とスクランブル区間との対応付け方法は、様々な方法が考えられる。例えば、図１２〜１４のＣＣ＃１相当の区間をＰＤＣＣＨ領域が１シンボルの場合に対応付け、ＣＣ＃２相当の区間をＰＤＣＣＨ領域が２シンボルの場合に対応付け、ＣＣ＃３相当の区間をＰＤＣＣＨ領域が３シンボルの場合に対応付ける方法が考えられる。
【０１５２】
このような第３の実施の形態に係る移動通信システムによれば、制御信号が適用されるＰＤＳＣＨの先頭シンボルを、無線基地局１００から移動局２００，２００ａに効率的に通知することができる。従って、ＤＬサブフレーム内でＰＤＳＣＨのシンボル位置が可変の場合でも、移動局２００，２００ａがＰＤＳＣＨ信号の抽出に失敗してしまう確率を低減できる。
【０１５３】
［第４の実施の形態］
次に、第４の実施の形態について説明する。第２，第３の実施の形態との差異について中心に説明し、第２，第３の実施の形態と同様の事項については説明を省略する。第４の実施の形態では、スクランブル処理する区間によって、制御信号が適用されるチャネルの属するコンポーネントキャリアと、チャネルの先頭の無線リソースの両方を特定する。
【０１５４】
第４の実施の形態に係る無線基地局は、図６，７に示した第２の実施の形態に係る無線基地局１００と同様の構成により実現できる。ただし、スクランブル位置制御部１６３の制御が、上記の点で異なる。第４の実施の形態に係る移動局は、図８，９に示した第２の実施の形態に係る移動局２００と同様の構成により実現できる。ただし、デスクランブル位置制御部２４２および誤り検出部２４５の制御が、上記の点で異なる。以下、第２の実施の形態と同様の符号を用いて、第４の実施の形態の制御を説明する。
【０１５５】
図１８は、第４の実施の形態の送信処理を示すフローチャートである。この処理は、無線基地局１００において継続的に実行される。以下、図１８に示す処理をステップ番号に沿って説明する。
【０１５６】
（ステップＳ５１）制御情報生成部１６１は、ＰＤＳＣＨに関する制御情報またはＰＵＳＣＨに関する制御情報を生成する。
（ステップＳ５２）パリティ付加部１６２は、ステップＳ５１で生成された制御情報のビット列を情報ビットとみなし、情報ビットからパリティビットを生成する。
【０１５７】
（ステップＳ５３）パリティ付加部１６２は、ステップＳ５２で生成されたパリティビットを、送信先のＲＮＴＩに応じたスクランブル系列を用いて、スクランブル処理する。
以上の処理により、制御情報の内容を示す情報ビットとＲＮＴＩに応じてスクランブル処理されたパリティビットとを含む制御信号が得られる。
【０１５８】
（ステップＳ５４）スクランブル位置制御部１６３は、制御信号がＰＤＳＣＨに関する制御信号であるか否か判断する。ＰＤＳＣＨに関する制御信号の場合、処理をステップＳ５５に進める。ＰＵＳＣＨに関する制御信号の場合、処理をステップＳ５６に進める。
【０１５９】
（ステップＳ５５）スクランブル位置制御部１６３は、制御信号の適用対象のＰＤＳＣＨが設けられたコンポーネントキャリアを特定する。また、そのＰＤＳＣＨが設けられたＤＬサブフレームを特定し、特定したＤＬサブフレームにおけるＰＤＣＣＨの領域とＰＤＳＣＨの領域との境界を特定する。そして、スクランブル位置制御部１６３は、特定したコンポーネントキャリアおよび境界に対応付けられているスクランブル処理の区間を選択する。なお、スクランブル位置制御部１６３には、コンポーネントキャリアおよびＤＬサブフレーム内の境界とスクランブル処理の区間との対応関係が予め登録されている。
【０１６０】
（ステップＳ５６）スクランブル位置制御部１６３は、制御信号の適用対象のＰＵＳＣＨが設けられたコンポーネントキャリアを特定する。そして、特定したコンポーネントキャリアに対応付けられているスクランブル処理の区間を選択する。なお、スクランブル位置制御部１６３には、コンポーネントキャリアとスクランブル処理の区間との対応関係が予め登録されている。
【０１６１】
（ステップＳ５７）スクランブル部１６５は、ステップＳ５１〜Ｓ５３で生成された制御信号のうち、ステップＳ５５またはステップＳ５６で選択された区間の信号を、所定のスクランブル系列でスクランブル処理する。
【０１６２】
（ステップＳ５８）誤り訂正符号化部１６６は、ステップＳ５７でスクランブル処理が施された後の制御信号を誤り訂正符号化し、ＰＤＣＣＨ信号として出力する。無線送信部１７０は、ＰＤＣＣＨ信号を無線信号に変換して送信する。
【０１６３】
このようにして、無線基地局１００は、ＰＤＳＣＨに関する制御信号の場合、ＰＤＳＣＨが設けられたコンポーネントキャリアおよびＤＬサブフレームの構造に応じた区間をスクランブル処理する。ＰＵＳＣＨに関する制御信号の場合、ＰＵＳＣＨが設けられたコンポーネントキャリアに応じた区間をスクランブル処理する。
【０１６４】
図１９は、第４の実施の形態の受信処理を示すフローチャートである。この処理は、移動局２００において継続的に実行される。移動局２００ａでも同様の処理が実行される。以下、図１９に示す処理をステップ番号に沿って説明する。
【０１６５】
（ステップＳ６１）制御信号抽出部２３０は、移動局２００宛てＰＤＣＣＨ信号の候補を抽出する。誤り訂正復号部２４１は、抽出されたＰＤＣＣＨ信号の候補を誤り訂正復号し、制御信号として出力する。
【０１６６】
（ステップＳ６２）デスクランブル位置制御部２４２は、デスクランブル処理の区間の候補を選択する。デスクランブル部２４４は、選択された区間の候補それぞれについて、所定のスクランブル系列でデスクランブル処理を行う。
【０１６７】
（ステップＳ６３）誤り検出部２４５は、制御信号に含まれるパリティビットを、移動局２００のＲＮＴＩに応じたスクランブル系列を用いて、デスクランブル処理する。
（ステップＳ６４）誤り検出部２４５は、ステップＳ６２，Ｓ６３のデスクランブル処理を施した制御信号それぞれに対して誤り検出を行う。そして、何れかの制御信号について、誤り検出結果がＯＫになったか判断する。何れかの検出結果がＯＫの場合、処理をステップＳ６５に進める。何れの検出結果もＮＧの場合、処理を終了する。
【０１６８】
（ステップＳ６５）誤り検出部２４５は、制御情報の内容から、その制御情報がＰＤＳＣＨに関する情報であるか否か判断する。ＰＤＳＣＨに関する情報の場合、処理をステップＳ６６に進める。ＰＵＳＣＨに関する情報の場合、処理をステップＳ６８に進める。
【０１６９】
（ステップＳ６６）誤り検出部２４５は、誤り検出結果がＯＫになった際のデスクランブル処理した区間を特定する。そして、特定した区間からコンポーネントキャリアおよびＰＤＳＣＨの先頭シンボルを特定する。なお、コンポーネントキャリアおよびＤＬサブフレーム内の境界とスクランブル処理の区間との対応関係が、デスクランブル位置制御部２４２に予め登録されている。
【０１７０】
（ステップＳ６７）ＰＤＳＣＨ抽出部２５０は、ＰＤＳＣＨに関する制御情報とステップＳ６６で特定した先頭シンボルに基づいて、ステップＳ６６で特定したコンポーネントキャリアの受信信号からＰＤＳＣＨ信号を抽出する。ＰＤＳＣＨ復号部２６０は、抽出されたＰＤＳＣＨ信号を復号し、移動局２００宛てのユーザデータを抽出する。
【０１７１】
（ステップＳ６８）誤り検出部２４５は、誤り検出結果がＯＫになった際のデスクランブル処理した区間を特定する。そして、特定した区間からコンポーネントキャリアを特定する。なお、コンポーネントキャリアとデスクランブル処理の区間との対応関係が、デスクランブル位置制御部２４２に予め登録されている。
【０１７２】
（ステップＳ６９）ＰＵＳＣＨ生成部２７０は、ＰＵＳＣＨに関する制御情報に基づいて、ステップＳ６８で特定したコンポーネントキャリアで送信するＰＵＳＣＨ信号を生成する。無線送信部２８０は、ＰＵＳＣＨ信号を無線信号に変換して送信する。
【０１７３】
このようにして、移動局２００は、受信した制御信号に対し、複数のデスクランブル区間の候補それぞれについてデスクランブル処理を試み、誤り検出の結果から、スクランブル処理が施されている区間を推定する。ＰＤＳＣＨに関する制御信号の場合、推定した区間から、制御信号の適用対象のコンポーネントキャリアとＰＤＳＣＨの先頭シンボルとを特定できる。ＰＤＣＣＨに関する制御信号の場合、推定した区間から、制御信号の適用対象のコンポーネントキャリアを特定できる。
【０１７４】
ここで、ＰＤＳＣＨに適用される制御信号に関して、スクランブル処理の区間からコンポーネントキャリアと先頭シンボルの両方を識別できるように、これらの対応関係が設定される。例えば、５つのコンポーネントキャリアと３通りのシンボル位置とを識別するために、１５通りのスクランブル処理の区間が設定される。
【０１７５】
図２０は、第４の実施の形態の制御信号の例を示す図である。ここでは、図１２〜１４の例と同様、パリティ付加後の制御信号に、３０ビットの情報ビットと１６ビットのパリティビットが含まれているとする。また、情報ビットのうちの１６ビットをスクランブル処理するとする。
【０１７６】
この例では、５つのコンポーネントキャリア（ＣＣ＃１〜＃５）と３通りのシンボル位置（位置＃１〜＃３）との組み合わせに対応して、スクランブル処理する区間を１ビットずつずらしている。
【０１７７】
具体的には、ＣＣ＃１・位置＃１を表す場合、先頭１６ビットの区間（Ｃ０〜Ｃ１５）がスクランブルされる。ＣＣ＃１・位置＃２を表す場合、ＣＣ＃１・位置＃１の場合より１ビット後方にずれた区間（Ｃ１〜Ｃ１６）がスクランブルされる。以下同様にして、ＣＣ＃５・位置＃２を表す場合はＣ１３〜Ｃ２８がスクランブルされ、ＣＣ＃５・位置＃３を表す場合はＣ１４〜Ｃ２９がスクランブルされる。
【０１７８】
このような第４の実施の形態に係る移動通信システムによれば、制御信号が適用されるコンポーネントキャリアとＰＤＳＣＨの先頭シンボルの両方を、無線基地局１００から移動局２００，２００ａに効率的に通知することができる。
【０１７９】
［第５の実施の形態］
次に、第５の実施の形態について説明する。第２の実施の形態との差異について中心に説明し、第２の実施の形態と同様の事項については説明を省略する。第２の実施の形態では、スクランブル処理する区間によってコンポーネントキャリアを識別したのに対し、第５の実施の形態では、使用するスクランブル系列の巡回シフト量によってコンポーネントキャリアを識別する。
【０１８０】
第５の実施の形態に係る無線基地局は、図６に示した第２の実施の形態に係る無線基地局１００と同様の構成により実現できる。ただし、ＰＤＣＣＨ生成部１６０に代えて、以下に述べるＰＤＣＣＨ生成部１６０ａを用いる。第４の実施の形態に係る移動局は、図８に示した第２の実施の形態に係る移動局２００と同様の構成により実現できる。ただし、制御信号復号部２４０に代えて、以下に述べる制御信号復号部２４０ａを用いる。
【０１８１】
図２１は、第５の実施の形態のＰＤＣＣＨ生成部の詳細を示す図である。ＰＤＣＣＨ生成部１６０ａは、制御情報生成部１６１ａ、パリティ付加部１６２ａ、スクランブル系列生成部１６３ａ、シフト量制御部１６４ａ、巡回シフト部１６５ａ、スクランブル部１６６ａおよび誤り訂正符号化部１６７ａを有する。
【０１８２】
制御情報生成部１６１ａは、ＰＤＳＣＨおよびＰＵＳＣＨに関する制御情報を生成し、制御情報を示すビット列をパリティ付加部１６２ａに出力する。
パリティ付加部１６２ａは、制御情報生成部１６１ａから取得したビット列（情報ビット）から誤り検出用のパリティビットを生成する。そして、情報ビットにパリティビットを付加した制御信号を生成し、スクランブル部１６６ａに出力する。その際、送信先の移動局のＲＮＴＩに応じたスクランブル系列を用いて、パリティビットをスクランブル処理する。
【０１８３】
スクランブル系列生成部１６３ａは、スクランブル系列を生成し、巡回シフト部１６５ａに出力する。生成するスクランブル系列は、固定のビット列、ランダム系列、擬似ランダム系列など、様々な系列が考えられる。ただし、巡回シフトしたときに、一巡する間に元のスクランブル系列と同一の系列が現れないようなスクランブル系列が好ましい。
【０１８４】
シフト量制御部１６４ａは、スクランブル系列に対する巡回シフトのシフト量を制御する。シフト量制御部１６４ａには、５つのコンポーネントキャリア（ＣＣ＃１〜＃５）と互いに異なる５つのシフト量との対応関係が予め登録されている。シフト量には、「０」（巡回シフト無し）が含まれてもよい。シフト量制御部１６４ａは、制御信号の適用対象のコンポーネントキャリアに対応するシフト量を、巡回シフト部１６５ａに通知する。
【０１８５】
例えば、シフト量制御部１６４ａは、ＣＣ＃１内のＰＵＳＣＨに関する制御信号である場合、ＣＣ＃１に対応するシフト量を巡回シフト部１６５ａに通知する。また、ＣＣ＃２内のＰＤＳＣＨに関する制御信号である場合、ＣＣ＃２に対応するシフト量を巡回シフト部１６５ａに通知する。
【０１８６】
巡回シフト部１６５ａは、スクランブル系列生成部１６３ａから取得したスクランブル系列を、シフト量制御部１６４ａから通知されたシフト量だけ巡回シフトする。シフト方向は、予め任意に決めておいてよい。そして、巡回シフト部１６５ａは、巡回シフト後のスクランブル系列を、スクランブル部１６６ａに出力する。
【０１８７】
スクランブル部１６６ａは、パリティ付加部１６２ａから取得した制御信号を、巡回シフト部１６５ａから取得したスクランブル系列を用いてスクランブル処理する。そして、スクランブル処理後の制御信号を、誤り訂正符号化部１６７ａに出力する。なお、パリティ付加部１６２ａで行うスクランブル処理とスクランブル部１６６ａで行うスクランブル処理とは、別個の処理である。
【０１８８】
誤り訂正符号化部１６７ａは、スクランブル部１６６ａから取得したスクランブル処理後の制御信号を、誤り訂正符号化する。そして、生成したＰＤＣＣＨ信号を無線送信部１７０に出力する。
【０１８９】
図２２は、第５の実施の形態の制御信号復号部の詳細を示す図である。制御信号復号部２４０ａは、誤り訂正復号部２４１ａ、スクランブル系列生成部２４２ａ、シフト量制御部２４３ａ、巡回シフト部２４４ａ、デスクランブル部２４５ａおよび誤り検出部２４６ａを有する。
【０１９０】
誤り訂正復号部２４１ａは、制御信号抽出部２３０から取得したＰＤＣＣＨ信号候補を誤り訂正復号し、得られた制御信号をデスクランブル部２４５ａに出力する。
スクランブル系列生成部２４２ａは、無線基地局１００のスクランブル系列生成部１６３ａと同じスクランブル系列を生成し、巡回シフト部２４４ａに出力する。
【０１９１】
シフト量制御部２４３ａは、スクランブル系列に対する巡回シフトのシフト量を制御する。シフト量制御部２４３ａには、５つのコンポーネントキャリア（ＣＣ＃１〜＃５）と互いに異なる５つのシフト量との対応関係が予め登録されている。この対応関係は、無線基地局１００のシフト量制御部１６４ａに登録されたものと同じである。シフト量制御部２４３ａは、ＰＤＳＣＨまたはＰＵＳＣＨが設定される可能性のあるコンポーネントキャリアに対応するシフト量を、巡回シフト部２４４ａに通知する。
【０１９２】
巡回シフト部２４４ａは、スクランブル系列生成部２４２ａから取得したスクランブル系列を、シフト量制御部２４３ａから通知されたシフト量だけ巡回シフトする。シフト方向は、無線基地局１００の巡回シフト部１６５ａが行う巡回シフトと同じとする。
【０１９３】
デスクランブル部２４５ａは、誤り訂正復号部２４１ａから取得した制御信号を、巡回シフト部２４４ａから取得したスクランブル系列を用いてデスクランブル処理する。このデスクランブル処理は、無線基地局１００のスクランブル部１６６ａが行うスクランブル処理の逆処理に相当する。そして、デスクランブル処理後の制御信号を、誤り検出部２４６ａに出力する。
【０１９４】
誤り検出部２４６ａは、デスクランブル部２４５ａから取得した制御信号に対して、誤り検出を行う。すなわち、まず制御信号に含まれるパリティビットを、移動局２００のＲＮＴＩに応じたスクランブル系列を用いてデスクランブル処理する。そして、制御信号に含まれる情報ビットとデスクランブル済みのパリティビットとに基づいて、情報ビットの誤りの有無を判断する。
【０１９５】
ここで、シフト量制御部２４３ａが複数のシフト量の候補を指定した場合、巡回シフト部２４４ａは、シフト量が異なる複数のスクランブル系列を出力する。そして、デスクランブル部２４５ａおよび誤り検出部２４６ａは、複数のスクランブル系列それぞれについて、デスクランブル処理および誤り検出を試みる。誤り検出部２４６ａは、誤り検出結果がＯＫのときのシフト量を特定し、対応するコンポーネントキャリアを特定する。なお、巡回シフト部２４４ａ、デスクランブル部２４５ａおよび誤り検出部２４６ａは、複数のスクランブル系列についての処理を並列に実行してもよいし、逐次実行してもよい。
【０１９６】
図２３は、第５の実施の形態の制御信号の例を示す図である。ここでは、パリティ付加後の制御信号に、３０ビットの情報ビットと１６ビットのパリティビットが含まれているとする。また、３０ビットの情報ビット全てをスクランブル処理するとする。
【０１９７】
この例では、制御信号の適用対象のチャネル（ＰＤＳＣＨまたはＰＵＳＣＨ）が設けられたコンポーネントキャリアの番号に対応して、３０ビットのスクランブル系列（Ｓ０〜Ｓ２９）を右方向に１ビットずつ巡回シフトしている。
【０１９８】
具体的には、ＣＣ＃１に関する制御信号の場合、巡回シフトせず、元のスクランブル系列（Ｓ０，Ｓ１，・・・，Ｓ２９）を使用する。ＣＣ＃２に関する制御信号の場合、右方向に１ビットだけ巡回シフトしたスクランブル系列（Ｓ２９，Ｓ０，・・・，Ｓ２８）を使用する。同様に、ＣＣ＃３に関する制御信号の場合は２ビットだけ巡回シフトさせ、ＣＣ＃４に関する制御信号の場合は３ビットだけ巡回シフトさせ、ＣＣ＃５に関する制御信号の場合は４ビットだけ巡回シフトさせる。
【０１９９】
なお、巡回シフトの最小単位を１ビットでなく２ビット以上にしてもよい。その場合、スクランブル系列が一巡しないよう、巡回シフトの最小単位×（コンポーネントキャリア数−１）＜スクランブル系列長という条件を具備することが好ましい。また、スクランブル処理する区間が、情報ビットとパリティビットとに跨ってもよい。
【０２００】
また、情報ビットの一部区間のみスクランブル処理してもよい。その場合、第２の実施の形態に係る方法、すなわち、スクランブル処理する区間によってコンポーネントキャリアを識別する方法と組み合わせることも可能である。これにより、無線基地局１００から移動局２００，２００ａにより多くの情報を通知できる。例えば、多数のコンポーネントキャリアを識別することが可能となる。また、第４の実施の形態のように、コンポーネントキャリアとＰＤＳＣＨの先頭シンボルの両方を通知することも容易となる。
【０２０１】
図２４は、第５の実施の形態の制御信号の変形例を示す図である。ここでは、図１２〜１４の例と同様、情報ビットのうちの１６ビットをスクランブル処理するとする。この例では、スクランブル処理する区間によって、５つのコンポーネントキャリア（ＣＣ＃１〜＃５）を識別すると共に、スクランブル系列のシフト量によって、３通りのシンボル位置（位置＃１〜＃３）を識別する。
【０２０２】
具体的には、ＣＣ＃１・位置＃１を表す場合、先頭１６ビットの区間（Ｃ０〜Ｃ１５）を、巡回シフトしないスクランブル系列でスクランブルする。ＣＣ＃１・位置＃２を表す場合、同区間（Ｃ０〜Ｃ１５）を、１ビット巡回シフトしたスクランブル系列でスクランブルする。ＣＣ＃１・位置＃３を表す場合、同区間（Ｃ０〜Ｃ１５）を、２ビット巡回シフトしたスクランブル系列でスクランブルする。
【０２０３】
ＣＣ＃２・位置＃１を表す場合、先頭から３ビットずれた区間（Ｃ３〜Ｃ１８）を、巡回シフトしないスクランブル系列でスクランブルする。ＣＣ＃２・位置＃２を表す場合、同区間（Ｃ３〜Ｃ１８）を、１ビット巡回シフトしたスクランブル系列でスクランブルする。以下同様にして、全１５通りのスクランブル処理方法が用意される。
【０２０４】
このような第５の実施の形態に係る移動通信システムによっても、第２の実施の形態と同様の効果が得られる。また、第５の実施の形態では、スクランブル処理する区間を長くすることが容易なため、移動局２００，２００ａが誤検出する確率をより抑制できる。なお、第５の実施の形態に係る方法を、第３の実施の形態のように、ＰＤＳＣＨのシンボル位置を識別するために用いることも可能である。
【０２０５】
［第６の実施の形態］
次に、第６の実施の形態について説明する。第２の実施の形態との差異について中心に説明し、第２の実施の形態と同様の事項については説明を省略する。第６の実施の形態では、生成するスクランブル系列の違いによってコンポーネントキャリアを識別する。
【０２０６】
第６の実施の形態に係る無線基地局は、図６に示した第２の実施の形態に係る無線基地局１００と同様の構成により実現できる。ただし、ＰＤＣＣＨ生成部１６０に代えて、以下に述べるＰＤＣＣＨ生成部１６０ｂを用いる。第６の実施の形態に係る移動局は、図８に示した第２の実施の形態に係る移動局２００と同様の構成により実現できる。ただし、制御信号復号部２４０に代えて、以下に述べる制御信号復号部２４０ｂを用いる。
【０２０７】
図２５は、第６の実施の形態のＰＤＣＣＨ生成部の詳細を示す図である。ＰＤＣＣＨ生成部１６０ｂは、制御情報生成部１６１ｂ、パリティ付加部１６２ｂ、系列選択部１６３ｂ、スクランブル系列生成部１６４ｂ、スクランブル部１６５ｂおよび誤り訂正符号化部１６６ｂを有する。
【０２０８】
制御情報生成部１６１ｂは、ＰＤＳＣＨおよびＰＵＳＣＨに関する制御情報を生成し、制御情報を示すビット列をパリティ付加部１６２ｂに出力する。
パリティ付加部１６２ｂは、制御情報生成部１６１ｂから取得したビット列（情報ビット）から誤り検出用のパリティビットを生成する。そして、情報ビットにパリティビットを付加した制御信号を生成し、スクランブル部１６５ｂに出力する。その際、送信先の移動局のＲＮＴＩに応じたスクランブル系列を用いて、パリティビットをスクランブル処理する。
【０２０９】
系列選択部１６３ｂは、スクランブル系列の切り替えを制御する。系列選択部１６３ｂには、５つのコンポーネントキャリア（ＣＣ＃１〜＃５）と５通りのスクランブル系列との対応関係が予め登録されている。系列選択部１６３ｂは、制御信号の適用対象のコンポーネントキャリアに対応するスクランブル系列を選択し、スクランブル系列生成部１６４ｂに通知する。
【０２１０】
例えば、系列選択部１６３ｂは、ＣＣ＃１内のＰＵＳＣＨに関する制御信号の場合、ＣＣ＃１に対応するスクランブル系列を生成するよう、スクランブル系列生成部１６４ｂに通知する。また、ＣＣ＃２内のＰＤＳＣＨに関する制御信号の場合、ＣＣ＃２に対応するスクランブル系列を生成するよう、スクランブル系列生成部１６４ｂに通知する。
【０２１１】
スクランブル系列生成部１６４ｂは、所定の複数のスクランブル系列のうち、系列選択部１６３ｂが選択したスクランブル系列を生成し、スクランブル部１６５ｂに出力する。
スクランブル系列の一例として、以下のものが考えられる。
（ａ）対象コンポーネントキャリアの番号を表すビット列、または、スクランブル区間の長さに合わせてそのビット列を繰り返したもの
（ｂ）対象コンポーネントキャリアの番号の関数を初期値として生成する擬似ランダム系列
（ｃ）対象コンポーネントキャリアの番号と制御信号を送信するコンポーネントキャリアの番号との差分を表すビット列、または、スクランブル区間の長さに合わせてそのビット列を繰り返したもの
（ｄ）対象コンポーネントキャリアの番号と制御信号を送信するコンポーネントキャリアの番号との差分の関数を初期値として生成する擬似ランダム系列
スクランブル部１６５ｂは、パリティ付加部１６２ｂから取得した制御信号を、スクランブル系列生成部１６４ｂから取得したスクランブル系列を用いて、スクランブル処理する。そして、スクランブル処理後の制御信号を、誤り訂正符号化部１６６ｂに出力する。なお、パリティ付加部１６２ｂで行うスクランブル処理とスクランブル部１６５ｂで行うスクランブル処理とは、別個の処理である。
【０２１２】
誤り訂正符号化部１６６ｂは、スクランブル部１６５ｂから取得したスクランブル処理後の制御信号を、誤り訂正符号化する。そして、生成したＰＤＣＣＨ信号を無線送信部１７０に出力する。
【０２１３】
図２６は、第６の実施の形態の制御信号復号部の詳細を示す図である。制御信号復号部２４０ｂは、誤り訂正復号部２４１ｂ、系列選択部２４２ｂ、スクランブル系列生成部２４３ｂ、デスクランブル部２４４ｂおよび誤り検出部２４５ｂを有する。
【０２１４】
誤り訂正復号部２４１ｂは、制御信号抽出部２３０から取得したＰＤＣＣＨ信号候補を誤り訂正復号し、得られた制御信号をデスクランブル部２４４ｂに出力する。
系列選択部２４２ｂは、スクランブル系列の切り替えを制御する。系列選択部２４２ｂには、５つのコンポーネントキャリア（ＣＣ＃１〜＃５）と５通りのスクランブル系列との対応関係が予め登録されている。この対応関係は、無線基地局１００の系列選択部１６３ｂに登録されたものと同じである。系列選択部２４２ｂは、ＰＤＳＣＨまたはＰＵＳＣＨが設定される可能性のあるコンポーネントキャリアに対応するスクランブル系列（スクランブル系列の候補）を、スクランブル系列生成部２４３ｂに通知する。
【０２１５】
スクランブル系列生成部２４３ｂは、所定の複数のスクランブル系列のうち、系列選択部２４２ｂが選択したスクランブル系列を生成し、デスクランブル部２４４ｂに出力する。生成可能なスクランブル系列の集合は、無線基地局１００のスクランブル系列生成部１６４ｂと同じである。
【０２１６】
デスクランブル部２４４ｂは、誤り訂正復号部２４１ｂから取得した制御信号を、スクランブル系列生成部２４３ｂから取得したスクランブル系列を用いて、デスクランブル処理する。このデスクランブル処理は、無線基地局１００のスクランブル部１６５ｂが行うスクランブル処理の逆処理に相当する。そして、デスクランブル処理後の制御信号を、誤り検出部２４５ｂに出力する。
【０２１７】
誤り検出部２４５ｂは、デスクランブル部２４４ｂから取得した制御信号に対して、誤り検出を行う。すなわち、まず制御信号に含まれるパリティビットを、移動局２００のＲＮＴＩに応じたスクランブル系列を用いてデスクランブル処理する。そして、制御信号に含まれる情報ビットとデスクランブル済みのパリティビットとに基づいて、情報ビットの誤りの有無を判断する。
【０２１８】
ここで、系列選択部２４２ｂが複数のスクランブル系列の候補を選択した場合、スクランブル系列生成部２４３ｂは、選択されたスクランブル系列をそれぞれ出力する。デスクランブル部２４４ｂおよび誤り検出部２４５ｂは、スクランブル系列それぞれを用いて、デスクランブル処理および誤り検出を試みる。誤り検出部２４５ｂは、誤り検出結果がＯＫのときのスクランブル系列に対応するコンポーネントキャリアを特定する。なお、スクランブル系列生成部２４３ｂ、デスクランブル部２４４ｂおよび誤り検出部２４５ｂは、複数のスクランブル系列についての処理を並列に実行してもよいし逐次実行してもよい。
【０２１９】
図２７は、第６の実施の形態の制御信号の第１の例を示す図である。第１の例では、情報ビット３０ビットのうち、先頭１６ビットをスクランブル処理する。そこで、５つのコンポーネントキャリア（ＣＣ＃１〜＃５）に対応して、１６ビットのスクランブル系列を５通り用意する。スクランブル処理する区間を情報ビットの一部にすることで、無線基地局１００の回路規模を抑制できる。
【０２２０】
具体的には、ＣＣ＃１に関する制御信号の場合、その先頭１６ビットを第１の系列（Ｓ０〜Ｓ１５）でスクランブルする。ＣＣ＃２に関する制御信号の場合、その先頭１６ビットを第２の系列（Ｔ０〜Ｔ１５）でスクランブルする。同様に、ＣＣ＃３に関する制御信号の場合は第３の系列（Ｕ０〜Ｕ１５）でスクランブルし、ＣＣ＃４に関する制御信号の場合は第４の系列（Ｖ０〜Ｖ１５）でスクランブルし、ＣＣ＃５に関する制御信号の場合は第５の系列（Ｗ０〜Ｗ１５）でスクランブルする。
【０２２１】
なお、スクランブル処理する区間は、情報ビットの先頭でなくてもよく、情報ビットの任意の区間で構わない。また、スクランブル処理する区間の長さは、１６ビットでなくてもよく、ＣＣ＃１〜＃５の全てについて同一にしなくてもよい。また、情報ビットとパリティビットとに跨ってスクランブル処理してもよい。また、連続した区間でなく、不連続な区間をスクランブル処理してもよい。
【０２２２】
図２８は、第６の実施の形態の制御信号の第２の例を示す図である。第２の例では、情報ビットの全区間をスクランブル処理する。そこで、５つのコンポーネントキャリア（ＣＣ＃１〜＃５）に対応して、３０ビットのスクランブル系列を５通り用意する。スクランブル処理する区間を長くすることで、移動局２００，２００ａがコンポーネントキャリアを誤検出する確率を低減できる。
【０２２３】
具体的には、ＣＣ＃１に関する制御信号の場合、その情報ビット全体を第１の系列（Ｓ０〜Ｓ２９）でスクランブルする。ＣＣ＃２に関する制御信号の場合、その情報ビット全体を第２の系列（Ｔ０〜Ｔ２９）でスクランブルする。同様に、ＣＣ＃３に関する制御信号の場合は第３の系列（Ｕ０〜Ｕ２９）でスクランブルし、ＣＣ＃４に関する制御信号の場合は第４の系列（Ｖ０〜Ｖ２９）でスクランブルし、ＣＣ＃５に関する制御信号の場合は第５の系列（Ｗ０〜Ｗ２９）でスクランブルする。
【０２２４】
なお、制御信号を送信するコンポーネントキャリアの番号と、ＰＤＳＣＨまたはＰＵＳＣＨが設けられたコンポーネントキャリアの番号とが同じ場合、後者のコンポーネントキャリアに応じた系列を用いる代わりに、全ビット「０」のビット列を用いてもよい。全ビット「０」の系列を用いてスクランブル処理することは、スクランブル処理しないことと等価である。
【０２２５】
ところで、図２７に示した方法の場合、第２の実施の形態に係る方法、すなわち、スクランブル処理する区間によってコンポーネントキャリアを識別する方法と組み合わせることも可能である。これにより、無線基地局１００から移動局２００，２００ａにより多くの情報を通知できる。例えば、第４の実施の形態のように、コンポーネントキャリアとＰＤＳＣＨの先頭シンボルの両方を通知することも容易となる。
【０２２６】
図２９は、第６の実施の形態の制御信号の変形例を示す図である。この例では、スクランブル処理する区間によって、５つのコンポーネントキャリア（ＣＣ＃１〜＃５）を識別すると共に、スクランブル系列の違いによって、３通りのシンボル位置（位置＃１〜＃３）を識別する。これにより、全１５通りのスクランブル処理方法が用意される。
【０２２７】
具体的には、ＣＣ＃１・位置＃１を表す場合、先頭１６ビットの区間（Ｃ０〜Ｃ１５）を、第１の系列（Ｓ０〜Ｓ１５）でスクランブルする。ＣＣ＃１・位置＃２を表す場合、同区間（Ｃ０〜Ｃ１５）を、第２の系列（Ｔ０〜Ｔ１５）でスクランブルする。ＣＣ＃５・位置＃２を表す場合、先頭から４ビットずれた区間（Ｃ４〜Ｃ１９）を、第２の系列（Ｔ０〜Ｔ１５）でスクランブルする。ＣＣ＃５・位置＃３を表す場合、同区間（Ｃ４〜Ｃ１９）を、第３の系列（Ｕ０〜Ｕ１５）でスクランブルする。
【０２２８】
このような第６の実施の形態に係る移動通信システムによっても、第２の実施の形態と同様の効果が得られる。なお、第６の実施の形態に係る方法を、第３の実施の形態のように、ＰＤＳＣＨのシンボル位置を識別するために用いることも可能である。
【０２２９】
［第７の実施の形態］
次に、第７の実施の形態について説明する。第２の実施の形態との差異について中心に説明し、第２の実施の形態と同様の事項については説明を省略する。第７の実施の形態では、制御信号自体の巡回シフト量によってコンポーネントキャリアを識別する。
【０２３０】
第７の実施の形態に係る無線基地局は、図６に示した第２の実施の形態に係る無線基地局１００と同様の構成により実現できる。ただし、ＰＤＣＣＨ生成部１６０に代えて、以下に述べるＰＤＣＣＨ生成部１６０ｃを用いる。第７の実施の形態に係る移動局は、図８に示した第２の実施の形態に係る移動局２００と同様の構成により実現できる。ただし、制御信号復号部２４０に代えて、以下に述べる制御信号復号部２４０ｃを用いる。
【０２３１】
図３０は、第７の実施の形態のＰＤＣＣＨ生成部の詳細を示す図である。ＰＤＣＣＨ生成部１６０ｃは、制御情報生成部１６１ｃ、パリティ付加部１６２ｃ、シフト量制御部１６３ｃ、巡回シフト部１６４ｃおよび誤り訂正符号化部１６５ｃを有する。
【０２３２】
制御情報生成部１６１ｃは、ＰＤＳＣＨおよびＰＵＳＣＨに関する制御情報を生成し、制御情報を示すビット列をパリティ付加部１６２ｃに出力する。
パリティ付加部１６２ｃは、制御情報生成部１６１ｃから取得したビット列（情報ビット）から誤り検出用のパリティビットを生成する。そして、情報ビットにパリティビットを付加した制御信号を生成し、巡回シフト部１６４ｃに出力する。その際、送信先の移動局のＲＮＴＩに応じたスクランブル系列を用いて、パリティビットをスクランブル処理する。
【０２３３】
シフト量制御部１６３ｃは、制御信号に対する巡回シフトのシフト量を制御する。シフト量制御部１６３ｃには、５つのコンポーネントキャリア（ＣＣ＃１〜＃５）と互いに異なる５つのシフト量との対応関係が予め登録されている。シフト量には、「０」（巡回シフト無し）が含まれてもよい。シフト量制御部１６３ｃは、制御信号の適用対象のコンポーネントキャリアに対応するシフト量を、巡回シフト部１６４ｃに通知する。
【０２３４】
ＣＣ＃１〜＃５に対するシフト量の設定方法の一例として、以下のものが考えられる。
（ａ）対象のコンポーネントキャリアの番号−１
（ｂ）対象のコンポーネントキャリアの番号
（ｃ）（対象のコンポーネントキャリアの番号−１）×Ｎ（Ｎ≧２）
（ｄ）対象のコンポーネントキャリアの番号×Ｎ（Ｎ≧２）
（ｅ）対象のコンポーネントキャリアの番号と制御信号を送信するコンポーネントキャリアの番号との差分
（ｆ）対象のコンポーネントキャリアの番号と制御信号を送信するコンポーネントキャリアの番号との差分×Ｎ（Ｎ≧２）
巡回シフト部１６４ｃは、パリティ付加部１６２ｃから取得した制御信号の一部であって所定の区間の信号を、シフト量制御部１６３ｃから通知されたシフト量だけ巡回シフトする。シフト方向は、予め任意に決めておいてよい。そして、巡回シフト部１６４ｃは、巡回シフト後の制御信号を、誤り訂正符号化部１６５ｃに出力する。
【０２３５】
誤り訂正符号化部１６５ｃは、巡回シフト部１６４ｃから取得した巡回シフト後の制御信号を、誤り訂正符号化する。そして、生成したＰＤＣＣＨ信号を無線送信部１７０に出力する。
【０２３６】
図３１は、第７の実施の形態の制御信号復号部の詳細を示す図である。制御信号復号部２４０ｃは、誤り訂正復号部２４１ｃ、シフト量制御部２４２ｃ、巡回シフト部２４３ｃおよび誤り検出部２４４ｃを有する。
【０２３７】
誤り訂正復号部２４１ｃは、制御信号抽出部２３０から取得したＰＤＣＣＨ信号候補を誤り訂正復号し、得られた制御信号を巡回シフト部２４３ｃに出力する。
シフト量制御部２４２ｃは、制御信号に対する巡回シフトのシフト量を制御する。シフト量制御部２４２ｃには、５つのコンポーネントキャリア（ＣＣ＃１〜＃５）と互いに異なる５つのシフト量との対応関係が予め登録されている。この対応関係は、無線基地局１００のシフト量制御部１６３ｃに登録されたものと同じである。シフト量制御部２４２ｃは、ＰＤＳＣＨまたはＰＵＳＣＨが設定される可能性のあるコンポーネントキャリアに対応するシフト量を、巡回シフト部２４３ｃに通知する。
【０２３８】
巡回シフト部２４３ｃは、誤り訂正復号部２４１ｃから取得した制御信号の一部であって所定の区間の信号を、シフト量制御部２４２ｃから通知されたシフト量だけ巡回シフトする。この巡回シフトは、無線基地局１００の巡回シフト部１６４ｃが行う処理の逆処理に相当する。すなわち、シフト方向は、巡回シフト部１６４ｃの逆方向とする。
【０２３９】
誤り検出部２４４ｃは、巡回シフト部２４３ｃから取得した巡回シフト後の制御信号に対して、誤り検出を行う。すなわち、まず制御信号に含まれるパリティビットを、移動局２００のＲＮＴＩに応じたスクランブル系列を用いてデスクランブル処理する。そして、制御信号に含まれる情報ビットとデスクランブル済みのパリティビットとに基づいて、情報ビットの誤りの有無を判断する。
【０２４０】
ここで、シフト量制御部２４２ｃが複数のシフト量の候補を指定した場合、巡回シフト部２４３ｃおよび誤り検出部２４４ｃは、複数のシフト量それぞれについて、巡回シフトおよび誤り検出を試みる。誤り検出部２４４ｃは、誤り検出結果がＯＫのときのシフト量を特定し、対応するコンポーネントキャリアを特定する。なお、巡回シフト部２４３ｃおよび誤り検出部２４４ｃは、複数のシフト量についての処理を並列に実行してもよいし、逐次実行してもよい。
【０２４１】
図３２は、第７の実施の形態の制御信号の第１の例を示す図である。第１の例では、３０ビットの情報ビット全体を巡回シフトする。５つのコンポーネントキャリア（ＣＣ＃１〜＃５）に対するシフト量の設定方法としては、前述の（ａ）を採用する。なお、パリティビットは、巡回シフトする前の情報ビットから生成されたものである。
【０２４２】
具体的には、ＣＣ＃１に関する制御信号の場合、巡回シフトしない。ＣＣ＃２に関する制御信号の場合、情報ビットを右方向に１ビット巡回シフトする。以下同様に、ＣＣ＃３に関する制御信号の場合は２ビット巡回シフトし、ＣＣ＃４に関する制御信号の場合は３ビット巡回シフトし、ＣＣ＃５に関する制御信号の場合は４ビット巡回シフトする。
【０２４３】
図３３は、第７の実施の形態の制御信号の第２の例を示す図である。第２の例では、１６ビットのパリティビット全体を巡回シフトする。５つのコンポーネントキャリア（ＣＣ＃１〜＃５）に対するシフト量の設定方法としては、前述の（ａ）を採用する。なお、情報ビットは、巡回シフトする前のパリティビットに対応するものである。
【０２４４】
具体的には、ＣＣ＃１に関する制御信号の場合、巡回シフトしない。ＣＣ＃２に関する制御信号の場合、パリティビットを右方向に１ビット巡回シフトする。以下同様に、ＣＣ＃３に関する制御信号の場合は２ビット巡回シフトし、ＣＣ＃４に関する制御信号の場合は３ビット巡回シフトし、ＣＣ＃５に関する制御信号の場合は４ビット巡回シフトする。
【０２４５】
なお、巡回シフトする区間は、情報ビットまたはパリティビットの全体でなく、所定の一部区間であってもよい。また、制御信号の一部であって、情報ビットとパリティビットとに跨る区間の信号を巡回シフトしてもよい。
【０２４６】
このような第７の実施の形態に係る移動通信システムによっても、第２の実施の形態と同様の効果が得られる。更に、第７の実施の形態では、スクランブル処理を伴わずにコンポーネントキャリアを識別することが可能であり、無線基地局１００および移動局２００，２００ａの処理負荷および回路規模を削減できる。なお、第７の実施の形態に係る方法を、第３の実施の形態のように、ＰＤＳＣＨのシンボル位置を識別するために用いることも可能である。
【０２４７】
［第８の実施の形態］
次に、第８の実施の形態について説明する。第２の実施の形態との差異について中心に説明し、第２の実施の形態と同様の事項については説明を省略する。第２〜第７の実施の形態では、パリティビットを情報ビットの末尾に追加していた。これに対し、第８の実施の形態では、パリティビットを挿入する位置を可変にすることで、挿入位置によってコンポーネントキャリアを識別できるようにする。
【０２４８】
第８の実施の形態に係る無線基地局は、図６に示した第２の実施の形態に係る無線基地局１００と同様の構成により実現できる。ただし、ＰＤＣＣＨ生成部１６０に代えて、以下に述べるＰＤＣＣＨ生成部１６０ｄを用いる。第８の実施の形態に係る移動局は、図８に示した第２の実施の形態に係る移動局２００と同様の構成により実現できる。ただし、制御信号復号部２４０に代えて、以下に述べる制御信号復号部２４０ｄを用いる。
【０２４９】
図３４は、第８の実施の形態のＰＤＣＣＨ生成部の詳細を示す図である。ＰＤＣＣＨ生成部１６０ｄは、制御情報生成部１６１ｄ、挿入位置制御部１６２ｄ、パリティ付加部１６３ｄおよび誤り訂正符号化部１６４ｄを有する。
【０２５０】
制御情報生成部１６１ｄは、ＰＤＳＣＨおよびＰＵＳＣＨに関する制御情報を生成し、制御情報を示すビット列をパリティ付加部１６３ｄに出力する。
挿入位置制御部１６２ｄは、制御信号の情報ビットに対するパリティビットの挿入位置を制御する。挿入位置制御部１６２ｄには、５つのコンポーネントキャリア（ＣＣ＃１〜＃５）と互いに異なる５通りの挿入位置との対応関係が予め登録されている。挿入位置制御部１６２ｄは、制御信号の適用対象のコンポーネントキャリアに対応する挿入位置を、パリティ付加部１６３ｄに通知する。
【０２５１】
パリティビットの挿入位置の一例として、以下のものが考えられる。
（ａ）情報ビットの末尾からコンポーネントキャリア番号に応じたビット数だけ前方
（ｂ）情報ビットの先頭からコンポーネントキャリア番号に応じたビット数だけ後方
パリティ付加部１６３ｄは、制御情報生成部１６１ｄから取得したビット列（情報ビット）から誤り検出用のパリティビットを生成する。そして、挿入位置制御部１６２ｄから通知された位置に生成したパリティビットを挿入して、制御信号を生成し、誤り訂正符号化部１６４ｄに出力する。その際、パリティ付加部１６３ｄは、送信先の移動局のＲＮＴＩに応じたスクランブル系列を用いて、パリティビットをスクランブル処理する。なお、スクランブル処理は、情報ビットにパリティビットを挿入する前に行ってもよいし後に行ってもよい。
【０２５２】
誤り訂正符号化部１６４ｄは、パリティ付加部１６３ｄから取得した制御信号を、誤り訂正符号化する。そして、生成したＰＤＣＣＨ信号を無線送信部１７０に出力する。
図３５は、第８の実施の形態の制御信号復号部の詳細を示す図である。制御信号復号部２４０ｄは、誤り訂正復号部２４１ｄ、並べ替え制御部２４２ｄ、並べ替え部２４３ｄおよび誤り検出部２４４ｄを有する。
【０２５３】
誤り訂正復号部２４１ｄは、制御信号抽出部２３０から取得したＰＤＣＣＨ信号候補を誤り訂正復号し、得られた制御信号を並べ替え部２４３ｄに出力する。
並べ替え制御部２４２ｄは、制御信号のビット順序の並べ替え方法を制御する。並べ替え制御部２４２ｄには、５つのコンポーネントキャリア（ＣＣ＃１〜＃５）と、パリティビットが挿入される５通りの区間との対応関係が予め登録されている。この対応関係は、無線基地局１００の挿入位置制御部１６２ｄが管理する挿入方法と整合するものである。並べ替え制御部２４２ｄは、パリティビットが挿入されている可能性のある区間を、並べ替え部２４３ｄに通知する。
【０２５４】
並べ替え部２４３ｄは、誤り訂正復号部２４１ｄから取得した制御信号から、並べ替え制御部２４２ｄから通知された区間の信号（パリティビットであると考えられるもの）を切り出して、末尾に移動する。そして、並べ替え後の制御信号を、誤り検出部２４４ｄに出力する。
【０２５５】
誤り検出部２４４ｄは、並べ替え部２４３ｄから取得した並べ替え後の制御信号に対して、誤り検出を行う。すなわち、まず制御信号の末尾の所定数のビット（パリティビットであると考えられるもの）を、移動局２００のＲＮＴＩに応じたスクランブル系列を用いてデスクランブル処理する。そして、制御信号の先頭の所定数のビット（情報ビットであると考えられるもの）とデスクランブル処理したビットとに基づいて、誤り検出する。
【０２５６】
ここで、並べ替え制御部２４２ｄが複数の区間の候補を指定した場合、並べ替え部２４３ｄおよび誤り検出部２４４ｄは、複数の区間それぞれについて、並べ替えおよび誤り検出を試みる。誤り検出部２４４ｄは、誤り検出結果がＯＫのときの区間を特定し、対応するコンポーネントキャリアを特定する。なお、並べ替え部２４３ｄおよび誤り検出部２４４ｄは、複数のシフト量についての処理を並列に実行してもよいし逐次実行してもよい。
【０２５７】
図３６は、第８の実施の形態の制御信号の例を示す図である。この例では、３０ビットの情報ビットに対して１６ビットのパリティビットを挿入する。５つのコンポーネントキャリア（ＣＣ＃１〜＃５）に対応する挿入位置として、前述の（ａ）を採用する。
【０２５８】
具体的には、ＣＣ＃１に関する制御信号の場合、情報ビットの末尾にパリティビットを付加する。ＣＣ＃２に関する制御信号の場合、情報ビットの末尾から３番目と４番目のビットとの間にパリティビットを挿入する。ＣＣ＃３に関する制御信号の場合、情報ビットの末尾から６番目と７番目のビットとの間にパリティビットを挿入する。ＣＣ＃４に関する制御信号の場合、情報ビットの末尾から９番目と１０番目のビットとの間にパリティビットを挿入する。ＣＣ＃５に関する制御信号の場合、情報ビットの末尾から１２番目と１３番目のビットとの間にパリティビットを挿入する。
【０２５９】
なお、図３６の方法では、ＣＣ＃１〜＃５の挿入位置を３ビットずつずらしているが、ずらす量は任意のビット数でよく、ずらす量を等間隔にしなくてもよい。また、図３６の方法では、１６ビットのパリティビットを分割せずに情報ビット中に挿入しているが、複数のブロックに分割してそれぞれ異なる位置に挿入する方法も考えられる。
【０２６０】
また、第７の実施の形態に係る方法、すなわち、巡回シフトのシフト量によってコンポーネントキャリアを識別する方法と組み合わせることも可能である。これにより、無線基地局１００から移動局２００，２００ａにより多くの情報を通知できる。例えば、第４の実施の形態のように、コンポーネントキャリアとＰＤＳＣＨの先頭シンボルの両方を通知することも容易となる。
【０２６１】
図３７は、第８の実施の形態の制御信号の変形例を示す図である。この例では、パリティビットが挿入されている区間によって５つのコンポーネントキャリア（ＣＣ＃１〜＃５）を識別すると共に、パリティビットのシフト量によって３通りのシンボル位置（位置＃１〜＃３）を識別する。これにより、全１５通りのパリティビットの挿入位置とパリティビットの巡回シフト量の組み合わせが用意される。
【０２６２】
具体的には、ＣＣ＃１・位置＃１を表す場合、情報ビットの末尾にパリティビットを付加する。ＣＣ＃１・位置＃１を表す場合、情報ビットの末尾にパリティビットを付加し、パリティビットを右方向に１ビット巡回シフトする。
【０２６３】
ＣＣ＃５・位置＃２を表す場合、情報ビットの末尾から１２番目と１３番目のビットの間にパリティビットを挿入し、パリティビットを右方向に１ビット巡回シフトする。ＣＣ＃５・位置＃３を表す場合、情報ビットの末尾から１２番目と１３番目のビットの間にパリティビットを挿入し、パリティビットを右方向に２ビット巡回シフトする。
【０２６４】
このような第８の実施の形態に係る移動通信システムによっても、第２の実施の形態と同様の効果が得られる。また、第７の実施の形態と同様、スクランブル処理を伴わずにコンポーネントキャリアを識別することが可能であり、無線基地局１００および移動局２００，２００ａの処理負荷および回路規模を削減できる。なお、第８の実施の形態に係る方法を、第３の実施の形態のように、ＰＤＳＣＨのシンボル位置を識別するために用いることも可能である。
【０２６５】
上記については単に本発明の原理を示すものである。更に、多数の変形、変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０２６６】
１，２  無線通信装置
１ａ  信号生成部
１ｂ  送信部
２ａ  受信部
２ｂ  検出部
３ａ，３ｂ，３ｃ，３ｄ  無線リソース
【図１】
2011039862.tif 000003
【図２】
2011039862.tif 000004
【図３】
2011039862.tif 000005
【図４】
2011039862.tif 000006
【図５】
2011039862.tif 000007
【図６】
2011039862.tif 000008
【図７】
2011039862.tif 000009
【図８】
2011039862.tif 000010
【図９】
2011039862.tif 000011
【図１０】
2011039862.tif 000012
【図１１】
2011039862.tif 000013
【図１２】
2011039862.tif 000014
【図１３】
2011039862.tif 000015
【図１４】
2011039862.tif 000016
【図１５】
2011039862.tif 000017
【図１６】
2011039862.tif 000018
【図１７】
2011039862.tif 000019
【図１８】
2011039862.tif 000020
【図１９】
2011039862.tif 000021
【図２０】
2011039862.tif 000022
【図２１】
2011039862.tif 000023
【図２２】
2011039862.tif 000024
【図２３】
2011039862.tif 000025
【図２４】
2011039862.tif 000026
【図２５】
2011039862.tif 000027
【図２６】
2011039862.tif 000028
【図２７】
2011039862.tif 000029
【図２８】
2011039862.tif 000030
【図２９】
2011039862.tif 000031
【図３０】
2011039862.tif 000032
【図３１】
2011039862.tif 000033
【図３２】
2011039862.tif 000034
【図３３】
2011039862.tif 000035
【図３４】
2011039862.tif 000036
【図３５】
2011039862.tif 000037
【図３６】
2011039862.tif 000038
【図３７】
2011039862.tif 000039
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含み、一部区間の信号をスクランブル処理した第３の信号を生成する信号生成部と、
生成された前記第３の信号を前記第１の無線リソースで送信する送信部と、を有し、
前記信号生成部は、前記複数の第２の無線リソースに対応する互いに異なる複数の区間のうち、前記第１の信号を用いた処理の対象の第２の無線リソースに対応する区間を選択し、選択した区間の信号に対して前記スクランブル処理を行う、
ことを特徴とする無線通信装置。
【請求項２】
前記複数の第２の無線リソースは、互いに異なる周波数帯に属する無線リソースであることを特徴とする請求項１記載の無線通信装置。
【請求項３】
前記複数の第２の無線リソースは、前記第１の信号を用いた処理の対象チャネルの先頭にある無線リソースであることを特徴とする請求項１記載の無線通信装置。
【請求項４】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含み、少なくとも前記第１の信号の一部をスクランブル処理した第３の信号を生成する信号生成部と、
生成された前記第３の信号を前記第１の無線リソースで送信する送信部と、を有し、
前記信号生成部は、前記複数の第２の無線リソースに対応する互いに異なる複数のスクランブル系列のうち、前記第１の信号を用いた処理の対象の第２の無線リソースに対応するスクランブル系列を用いて、前記スクランブル処理を行う、
ことを特徴とする無線通信装置。
【請求項５】
前記複数のスクランブル系列は、所定のスクランブル系列を互いに異なるビット数だけ巡回シフトすることで得られたスクランブル系列であることを特徴とする請求項４記載の無線通信装置。
【請求項６】
第１の無線リソースで、複数の第２の無線リソースの何れかに対して他の無線通信装置が行う処理に用いられる信号を送信する無線通信装置であって、
前記他の無線通信装置が行う処理に用いられる第１の信号と前記第１の信号の誤り検出に用いられる第２の信号とを生成し、前記第１の信号と前記第２の信号とを含む信号列の少なくとも一部区間内でビット順序を入れ替えた第３の信号を生成する信号生成部と、
生成された前記第３の信号を前記第１の無線リソースで送信する送信部と、を有し、
前記信号生成部は、前記複数の第２の無線リソースに対応する互いに異なる複数の入れ替え方法のうち、前記第１の信号を用いた処理の対象の第２の無線リソースに対応する入れ替え方法に従って、前記ビット順序を入れ替える、
ことを特徴とする無線通信装置。
【請求項７】
前記複数の入れ替え方法は、互いに異なるビット数だけ巡回シフトする方法であり、
前記信号生成部は、前記第１の信号および前記第２の信号の少なくとも一方を、前記処理の対象の第２の無線リソースに対応するビット数だけ巡回シフトする、
ことを特徴とする請求項６記載の無線通信装置。
【請求項８】
前記複数の入れ替え方法は、前記第１の信号内の互いに異なる位置に前記第２の信号を挿入する方法であり、
前記信号生成部は、前記処理の対象の第２の無線リソースに対応する、前記第１の信号内の位置に、前記第２の信号を挿入する、
ことを特徴とする請求項６記載の無線通信装置。
【請求項９】
他の無線通信装置から、第１の無線リソースで、複数の第２の無線リソースの何れかに対する処理に用いる第１の信号と前記第１の信号の誤り検出に用いる第２の信号とが含まれ、一部区間の信号がスクランブル処理されている第３の信号を受信する受信部と、
前記複数の第２の無線リソースに対応する互いに異なる複数の区間それぞれについて、受信した前記第３の信号をデスクランブル処理し、前記デスクランブル処理後の前記誤り検出の結果が所定の条件を満たした区間に対応する第２の無線リソースを、前記第１の信号を用いた処理の対象として検出する検出部と、
を有することを特徴とする無線通信装置。
【請求項１０】
第１の無線リソースと複数の第２の無線リソースとを用いて、第１の無線通信装置と第２の無線通信装置との間で行う無線通信方法であって、
前記複数の第２の無線リソースの何れかに対する処理に用いられる第１の信号と前記第１の信号の誤り検出に用いられる第２の信号とを生成し、
前記第１の信号と前記第２の信号とを含み、前記複数の第２の無線リソースに対応する互いに異なる複数の区間のうち前記第１の信号を用いた処理の対象の第２の無線リソースに対応する区間の信号をスクランブル処理した、第３の信号を生成し、
前記第３の信号を前記第１の無線リソースで送信し、
前記複数の区間それぞれについて、受信した前記第３の信号をデスクランブル処理し、前記デスクランブル処理後の前記誤り検出の結果が所定の条件を満たした区間に対応する第２の無線リソースを検出し、
検出した第２の無線リソースに対して、前記第１の信号を用いた処理を行う、
ことを特徴とする無線通信方法。
【国際調査報告】
2011039862.tif 000040
2011039862.tif 000041